(57)【特許請求の範囲】
【請求項１】
複数の導体を有するフレキシブルケーブル又はフレキシブル基板として構成される導電部材が接続されるコネクタであって、
前記導電部材の端部が装着されるように構成された導電部材装着部と、
前記導電部材が挿通される挿通孔と、前記挿通孔に挿通された前記導電部材の端部が装着された状態の前記導電部材装着部が嵌合して嵌め込まれるように構成されるとともに前記挿通孔に連通する嵌合孔とが、設けられ、前記導電部材装着部を保持するように構成された保持部と、
を備え、
前記保持部には、前記導電部材の幅方向両端部のそれぞれの一部に設けられた係合部が係合するように構成された被係合部が設けられ、
前記導電部材装着部には、前記挿通孔の一部を塞ぐように構成された閉塞部が設けられ、
前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔の一部を塞ぐことを特徴とする、コネクタ。
【請求項２】
請求項１に記載のコネクタであって、
前記導電部材装着部には、前記導電部材の端部が挿入される挿入口を区画する筒状の部分が設けられ、
前記導電部材の端部は、前記挿入口に挿入されることで、前記導電部材装着部に装着されることを特徴とする、コネクタ。
【請求項３】
請求項１又は請求項２に記載のコネクタであって、
前記閉塞部は、前記挿通孔に嵌まり込んだ状態で当該挿通孔の一部を塞ぐことを特徴とする、コネクタ。
【請求項４】
請求項１乃至請求項３のいずれか１項に記載のコネクタであって、
前記保持部の前記挿通孔は、当該挿通孔における幅方向の両端側の領域であって前記導電部材が当該挿通孔に挿通されて当該挿通孔を通過する際に前記係合部が通過する領域である係合部通過領域、を含み、
前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔における少なくとも前記係合部通過領域を塞ぐことを特徴とする、コネクタ。
【請求項５】
請求項４に記載のコネクタであって、
前記保持部の前記挿通孔は、前記導電部材が当該挿通孔に挿通される際に通過する導電部材通過領域と、前記導電部材が当該挿通孔に挿通された後に前記導電部材通過領域からずれるように変位した状態で当該導電部材が配置される導電部材配置領域と、を含み、
前記導電部材通過領域は、前記係合部通過領域を含み、
前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔における前記導電部材通過領域を塞ぐことを特徴とする、コネクタ。
【請求項６】
請求項１乃至請求項５のいずれか１項に記載のコネクタであって、
前記導電部材装着部には、当該導電部材装着部における幅方向中央部分において、当該導電部材装着部に装着された前記導電部材の端部を当該導電部材の表裏面方向において挟みこむように構成されて当該導電部材が撓むように変形することを規制する撓み規制部、が設けられていることを特徴とする、コネクタ。
【請求項７】
請求項１乃至請求項６のいずれか１項に記載のコネクタであって、
前記導電部材装着部には、当該導電部材装着部に装着された前記導電部材の端部を保持する保持機構が設けられていることを特徴とする、コネクタ。
【請求項８】
請求項１乃至請求項７のいずれか１項に記載のコネクタを備えた電気的接続装置であって、
前記コネクタとして構成される第１コネクタと、前記第１コネクタが接続される第２コネクタと、を備え、
前記第２コネクタは、
前記導電部材装着部に装着された前記導電部材における複数の前記導体に対してそれぞれ電気的に接続されるように構成された複数の端子と、
複数の前記端子を保持し、前記導電部材装着部が嵌合するとともに前記保持部が係合するように構成されたハウジングと、
を有していることを特徴とする、電気的接続装置。
【請求項９】
請求項８に記載の電気的接続装置であって、
前記ハウジングには、前記導電部材装着部が嵌合して前記導電部材における複数の前記導体に複数の前記端子が電気的に接続された状態で、前記導電部材装着部の先端部分の一部を外部に露出させるように窓状又は切欠き状の部分として構成された先端露出部が設けられていることを特徴とする、電気的接続装置。
【請求項１０】
請求項８又は請求項９に記載の電気的接続装置であって、
前記導電部材装着部には、
当該導電部材装着部における幅方向の両端部において当該導電部材装着部の先端側に向かって突出するように設けられ、前記ハウジングに当該導電部材装着部が嵌合する際に前記ハウジングに設けられた案内溝に沿って案内されて当該案内溝に嵌め込まれる突出部と、
当該導電部材装着部に装着された前記導電部材の端部を当該導電部材の表裏面方向において挟み込むように構成された上面部及び下面部と、
が設けられ、
前記下面部に対する前記突出部の突出長さが前記上面部に対する前記突出部の突出長さよりも長くなるように構成されていることを特徴とする、電気的接続装置。
【発明の詳細な説明】
【技術分野】
【０００１】
本発明は、複数の導体を有するフレキシブルケーブル又はフレキシブル基板として構成される導電部材が接続されるコネクタ、及びそのコネクタを備える電気的接続装置に関する。
【背景技術】
【０００２】
複数の導体を有するフレキシブルケーブル又はフレキシブル基板として構成される導電部材が接続されるコネクタとして、例えば、特許文献１に開示されたものが知られている。特許文献１に開示されたコネクタ（２）は、ホルダ（２２）と止定部材（２３）とを備えて構成されている。
【０００３】
ホルダ（２２）は、導電部材（ＦＦＣ１）が載置される載置面（２４）を有する載置板（２５）を備えている。そして、ホルダ（２２）には、載置板（２５）の載置面（２４）の左右の側部において、導電部材の幅方向の両端部に設けられた凹溝（６ｃ、６ｄ）にそれぞれ係合可能な位置決め用突起（３０、３１）が設けられている。止定部材（２３）は、導電部材が載置された載置板（２５）が導電部材とともに挿通される挿通孔（３８）を区画する環状部（３７）を備えている。
【０００４】
特許文献１のコネクタ（２）においては、導電部材は、幅方向両端部の凹溝（６ｃ、６ｄ）がホルダ（２２）の載置板（２５）の突起（３０、３１）に係合した状態でホルダ（２２）に載置される。そして、導電部材が載置された載置板（２５）が止定部材（２３）の挿通孔（３８）に挿通され、止定部材（２３）の一対の係止部（４３）にホルダ２２の一対の被係止部（３４）が係合することで、導電部材のコネクタ（２）への接続が完了する。
【先行技術文献】
【特許文献】
【０００５】
【特許文献１】特開２００５−４９９３号公報
【発明の概要】
【発明が解決しようとする課題】
【０００６】
特許文献１のコネクタ（２）は、ホルダ（２２）の載置板（２５）の突起（３０、３１）が導電部材の幅方向両端部の凹溝（６ｃ、６ｄ）に係合することで、導電部材を保持している。このため、凹溝（６ｃ、６ｄ）が突起（３０、３１）から外れると、導電部材がコネクタ（２）から外れてしまうことになる。よって、特許文献１のコネクタ（２）は、導電部材を強固に保持することが難しい。従って、コネクタから導電部材が外れてしまうことを防止し、導電部材を強固に保持することができるコネクタの構造の実現が望ましい。
【０００７】
本発明は、上記実情に鑑みることにより、複数の導体を有するフレキシブルケーブル又はフレキシブル基板として構成される導電部材が外れてしまうことを防止し、導電部材を強固に保持することができるコネクタを提供することを目的とする。更に、そのコネクタを備える電気的接続装置を提供することを目的とする。
【課題を解決するための手段】
【０００８】
（１）上記目的を達成するための本発明のある局面に係るコネクタは、複数の導体を有するフレキシブルケーブル又はフレキシブル基板として構成される導電部材が接続されるコネクタであって、前記導電部材の端部が装着されるように構成された導電部材装着部と、前記導電部材が挿通される挿通孔と、前記挿通孔に挿通された前記導電部材の端部が装着された状態の前記導電部材装着部が嵌合して嵌め込まれるように構成されるとともに前記挿通孔に連通する嵌合孔とが、設けられ、前記導電部材装着部を保持するように構成された保持部と、を備えている。そして、前記保持部には、前記導電部材の幅方向両端部のそれぞれの一部に設けられた係合部が係合するように構成された被係合部が設けられ、前記導電部材装着部には、前記挿通孔の一部を塞ぐように構成された閉塞部が設けられ、前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔の一部を塞ぐように構成されている。
【０００９】
この構成によると、挿通孔に挿通された導電部材の端部が導電部材装着部に装着される。そして、その状態で導電部材装着部が保持部に嵌め込まれ、導電部材の係合部が保持部の被係合部に係合した状態で、導電部材装着部の閉塞部によって、保持部の挿通孔の一部が塞がれる。このため、コネクタに接続された導電部材は、コネクタの保持部に係合した状態で保持されることに加え、更に、保持部の挿通孔の一部が導電部材装着部で塞がれていることで、挿通孔から抜けてコネクタから外れてしまうことも防止される。これにより、コネクタは、接続された導電部材を、強固に保持することができる。
【００１０】
従って、上記の構成によると、複数の導体を有するフレキシブルケーブル又はフレキシブル基板として構成される導電部材が外れてしまうことを防止し、導電部材を強固に保持することができるコネクタを提供することができる。
【００１１】
尚、複数の導体要素がコネクタに接続される形態として、複数の導体を有するフレキシブルケーブル又はフレキシブル基板として構成される導電部材がコネクタに接続される形態以外に、電線がそれぞれ接続された複数の端子が１つのコネクタに接続される形態がある。電線がそれぞれ接続された複数の端子がコネクタに接続される形態によると、複数の端子のそれぞれがコネクタのハウジングに嵌め込まれるため、複数の端子を強固に保持することができる。このため、コネクタに対して振動等の負荷が加わり易いようなより苛酷な環境で使用される場合には、複数の端子が接続される形態のコネクタが用いられる。
【００１２】
しかし、複数の端子が接続される形態のコネクタの場合、複数の端子のそれぞれがコネクタのハウジングに嵌め込まれる構成のため、構造の大型化及び複雑化を招き易い。一方、導電部材がコネクタに接続される形態の場合、複数の導体が密集して配置された導電部材がコネクタに接続されるため、構造のコンパクト化及び簡素化を図り易い。しかしながら、導電部材がコネクタに接続される形態である特許文献１に開示されたコネクタ（２）の場合、導電部材の凹溝（６ｃ、６ｄ）が突起（３０、３１）から外れると、導電部材がコネクタ（２）から外れてしまうため、導電部材を強固に保持することが難しい。
【００１３】
上記の従来技術の状況に対し、本発明のある局面に係るコネクタの構成によると、導電部材が外れてしまうことを防止し、導電部材を強固に保持することができる。そして、複数の導体が密集して配置された導電部材がコネクタに接続されるため、構造のコンパクト化及び簡素化を図ることもできる。よって、本発明のある局面に係るコネクタの構成によると、構造のコンパクト化及び簡素化を図ることができ、導電部材が外れてしまうことを防止し、導電部材を強固に保持することができ、コネクタに対して振動等の負荷が加わり易いようなより苛酷な環境下においても安定して使用することができる。
【００１４】
（２）前記導電部材装着部には、前記導電部材の端部が挿入される挿入口を区画する筒状の部分が設けられ、前記導電部材の端部は、前記挿入口に挿入されることで、前記導電部材装着部に装着されてもよい。
【００１５】
この構成によると、導電部材装着部の筒状の部分によって区画された挿入口に導電部材の端部が挿入されることで、導電部材の端部が導電部材装着部に装着される。このため、導電部材の端部が導電部材装着部に装着された状態では、導電部材の端部は、導電部材の長手方向における所定の領域が、導電部材装着部の筒状の部分によって周囲を環状に覆われて囲い込まれることになる。これにより、導電部材が幅方向に撓んでしまうことが防止されることになる。また、導電部材の幅方向の撓みが防止されることで、導電部材をコネクタに接続する作業が容易となり、作業性を向上させることができる。更に、導電部材が接続されたコネクタを相手側のコネクタに対して嵌合により接続する際に、導電部材の幅方向の撓みが防止されることで、導電部材の導体と相手側のコネクタの端子との間における電気的接触不良が生じるような嵌合不具合の発生を防止することができる。
【００１６】
（３）前記閉塞部は、前記挿通孔に嵌まり込んだ状態で当該挿通孔の一部を塞ぐ構成であってもよい。
【００１７】
この構成によると、閉塞部が挿通孔に嵌まり込んで挿通孔の一部をより強固に塞ぐため、導電部材が外れてしまうことをより確実に防止し、導電部材をより強固に保持することができる。
【００１８】
（４）前記保持部の前記挿通孔は、当該挿通孔における幅方向の両端側の領域であって前記導電部材が当該挿通孔に挿通されて当該挿通孔を通過する際に前記係合部が通過する領域である係合部通過領域、を含み、前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔における少なくとも前記係合部通過領域を塞ぐ構成であってもよい。
【００１９】
この構成によると、閉塞部が少なくとも係合部通過領域を塞ぐように挿通孔の一部を塞ぐため、導電部材の係合部が保持部の被係合部から外れて挿通孔を通過してしまうことがより確実に防止される。これにより、導電部材をより強固に保持することができる。
【００２０】
（５）前記保持部の前記挿通孔は、前記導電部材が当該挿通孔に挿通される際に通過する導電部材通過領域と、前記導電部材が当該挿通孔に挿通された後に前記導電部材通過領域からずれるように変位した状態で当該導電部材が配置される導電部材配置領域と、を含み、前記導電部材通過領域は、前記係合部通過領域を含み、前記閉塞部は、前記挿通孔に挿通された前記導電部材の端部が装着された状態の前記導電部材装着部が前記保持部に嵌め込まれた際に、前記係合部が前記被係合部に係合した状態で、前記挿通孔における前記導電部材通過領域を塞ぐ構成であってもよい。
【００２１】
この構成によると、閉塞部が導電部材通過領域を塞ぐように挿通孔の一部を塞ぐため、導電部材が外れてしまうことをより確実に防止し、導電部材をより強固に保持することができる。
【００２２】
（６）前記導電部材装着部には、当該導電部材装着部における幅方向中央部分において、当該導電部材装着部に装着された前記導電部材の端部を当該導電部材の表裏面方向において挟みこむように構成されて当該導電部材が撓むように変形することを規制する撓み規制部、が設けられていてもよい。
【００２３】
この構成によると、導電部材装着部の幅方向中央部分において、撓み規制部によって、導電部材の端部が表裏面方向に挟み込まれ、導電部材の端部の撓み変形が生じることが規制される。このため、導電部材が幅方向に撓んでしまうことが防止されることになる。また、導電部材の幅方向の撓みが防止されることで、導電部材をコネクタに接続する作業が容易となり、作業性を向上させることができる。更に、導電部材が接続されたコネクタを相手側のコネクタに対して嵌合により接続する際に、導電部材の幅方向の撓みが防止されることで、導電部材の導体と相手側のコネクタの端子との間における電気的接触不良が生じるような嵌合不具合の発生を防止することができる。
【００２４】
（７）前記導電部材装着部には、当該導電部材装着部に装着された前記導電部材の端部を保持する保持機構が設けられていてもよい。
【００２５】
この構成によると、導電部材の端部が導電部材装着部において保持機構によって保持されるため、導電部材が装着された導電部材装着部を保持部に嵌め込む作業が容易となる。このため、導電部材をコネクタに接続する作業が容易となり、作業性を向上させることができる。
【００２６】
（８）前述の目的を達成するための本発明のある局面に係る電気的接続装置は、前述した本発明のある局面に係るコネクタのいずれかを備えた電気的接続装置であって、前記コネクタとして構成される第１コネクタと、前記第１コネクタが接続される第２コネクタと、を備え、前記第２コネクタは、前記導電部材装着部に装着された前記導電部材における複数の前記導体に対してそれぞれ電気的に接続されるように構成された複数の端子と、複数の前記端子を保持し、前記導電部材装着部が嵌合するとともに前記保持部が係合するように構成されたハウジングと、を有している。
【００２７】
この構成によると、前述した本発明のある局面に係るコネクタと同様の効果を奏することができる。即ち、この構成によると、複数の導体を有するフレキシブルケーブル又はフレキシブル基板として構成される導電部材が外れてしまうことを防止し、導電部材を強固に保持することができるコネクタを備える電気的接続装置、を提供することができる。
【００２８】
（９）前記ハウジングには、前記導電部材装着部が嵌合して前記導電部材における複数の前記導体に複数の前記端子が電気的に接続された状態で、前記導電部材装着部の先端部分の一部を外部に露出させるように窓状又は切欠き状の部分として構成された先端露出部が設けられていてもよい。
【００２９】
この構成によると、第１コネクタを第２コネクタに接続する作業を行った作業者は、ハウジングの先端露出部から導電部材装着部の先端部分の一部が露出しているか否かを目視で確認することができる。これにより、作業者は、第１コネクタと第２コネクタとが、複数の端子と複数の導体とが電気的に接続された状態で適切に接続されているか否かを容易に確認することができる。そして、上記の構成によると、第１コネクタと第２コネクタとが適切に接続されているか否かを作業者が容易に確認することができる構造を、ハウジングに窓状又は切欠き状の部分を設けた簡素な構造で実現することができる。
【００３０】
（１０）前記導電部材装着部には、当該導電部材装着部における幅方向の両端部において当該導電部材装着部の先端側に向かって突出するように設けられ、前記ハウジングに当該導電部材装着部が嵌合する際に前記ハウジングに設けられた案内溝に沿って案内されて当該案内溝に嵌め込まれる突出部と、当該導電部材装着部に装着された前記導電部材の端部を当該導電部材の表裏面方向において挟み込むように構成された上面部及び下面部と、が設けられ、前記上面部及び前記下面部の一方に対する前記突出部の突出長さが他方に対する突出長さよりも長くなるように構成されていてもよい。
【００３１】
この構成によると、導電部材装着部をハウジングに嵌合させて第１コネクタを第２コネクタに接続する作業が行われる際には、導電部材装着部の幅方向両端部で先端側に突出した突出部がハウジングの案内溝に案内される。このため、導電部材装着部をハウジングに誘い込むようにして、導電部材装着部をハウジングに容易に嵌合させることができ、更に、導電部材装着部とハウジングとの間でこじりが生じてしまうことを防止することができる。尚、ここで、「こじり」が生じた状態とは、作業者が、導電部材装着部をハウジングに対して所定の挿入位置まで挿入させて嵌合させようとした際に、挿入途中で導電部材装着部の一部がハウジングに対して引っ掛かってしまい、導電部材装着部がハウジングに対して固着してくっついたように動き難くなってしまうような状態をさす。
【００３２】
また、上記の構成によると、上面部及び下面部の一方に対する突出部の突出長さが他方に対する突出長さよりも長くなるように構成されている。即ち、上記の構成の電気的接続装置は、突出部が上面部及び下面部の一方から突出している長さが、突出部が上面部及び下面部の他方から突出している長さよりも長くなるように、構成されている。このため、上面部及び下面部に対する突出部の位置が、突出部の突出方向において、非対称な状態で設定されることになる。そして、ハウジングにおいては、導電部材装着部の上面部及び下面部に対する位置が非対称な状態に設定された突出部に対応した案内溝が設けられる。このため、作業者が導電部材装着部をハウジングに対して上下方向が逆の状態で挿入しようとすると、挿入することができず、導電部材装着部をハウジングに嵌合させることができない。これにより、上記の構成によると、上下方向が逆の状態で第１コネクタが第２コネクタに接続されてしまうことを防止することができる。
【発明の効果】
【００３３】
本発明によると、複数の導体を有するフレキシブルケーブル又はフレキシブル基板として構成される導電部材が外れてしまうことを防止し、導電部材を強固に保持することができるコネクタを提供することができる。また、本発明によると、更に、そのコネクタを備える電気的接続装置を提供することができる。
【図面の簡単な説明】
【００３４】
【図１】本発明の一実施の形態に係る電気的接続装置の斜視図であって、導電部材及び基板の一部とともに示す図である。
【図２】電気的接続装置の斜視図であって、導電部材及び基板の一部とともに示す図である。
【図３】導電部材を示す平面図である。
【図４】電気的接続装置における第１コネクタ（本発明の一実施の形態に係るコネクタ）の斜視図であって、導電部材の一部とともに示す図である。
【図５】第１コネクタを導電部材の一部とともに示す図であって、（Ａ）は平面図であり、（Ｂ）は正面図である。
【図６】第１コネクタ及び導電部材の背面図である。
【図７】第１コネクタの斜視図であって、図４とは上下を逆の状態にして見た図である。
【図８】第１コネクタにおける導電部材装着部を示す斜視図である。
【図９】導電部材装着部を示す図であって、（Ａ）は平面図であり、（Ｂ）は正面図であり、（Ｃ）は底面図である。
【図１０】導電部材装着部を示す図であって、（Ａ）は背面図であり、（Ｂ）は（Ａ）におけるＸ６線矢印方向から見た側面図である。
【図１１】第１コネクタにおける保持部を示す斜視図である。
【図１２】保持部を示す図であって、（Ａ）は平面図であり、（Ｂ）は正面図である。
【図１３】保持部を示す図であって、（Ａ）は保持部の背面図のみを示すであり、（Ｂ）は保持部の背面図を示すとともに更に保持部の挿通孔における各領域も模式的に示す図である。
【図１４】第１コネクタに導電部材が接続される形態を説明するための図であって、（Ａ）は導電部材が保持部に挿通される前の状態を示す斜視図であり、（Ｂ）は保持部に挿通された導電部材が導電部材装着部に装着される前の状態を示す斜視図である。
【図１５】第１コネクタに導電部材が接続される形態を説明するための図であって、（Ａ）は導電部材が保持部に挿通される途中の状態を示す斜視図であって一部断面を含む斜視図であり、（Ｂ）は（Ａ）の一部を拡大して示す図である。
【図１６】第１コネクタに導電部材が接続される形態を説明するための図であって、（Ａ）は導電部材が保持部に挿通されて導電部材装着部に装着された状態を示す斜視図であり、（Ｂ）は保持部に挿通された導電部材が装着された導電部材装着部が保持部に接続された状態を示す斜視図である。
【図１７】導電部材が導電部材装着部に装着された状態を示す図であって、（Ａ）は導電部材装着部の下面部側から見た斜視図であり、（Ｂ）は導電部材装着部の上面部側から見た斜視図である。
【図１８】導電部材が導電部材装着部に装着された状態を示す図であって、（Ａ）は斜視図であり、（Ｂ）は（Ａ）の斜視図において一部を断面で示した状態の斜視図である。
【図１９】導電部材が導電部材装着部に装着された状態を示す図であって、（Ａ）は一部を断面を含む状態で示す斜視図であり、（Ｂ）は（Ａ）とは異なる断面を含む状態で示す斜視図である。
【図２０】第１コネクタに導電部材が接続される形態を説明するための図であって、（Ａ）は導電部材が保持部に挿通されて導電部材装着部に装着された状態を示す斜視図であって一部断面を含む斜視図であり、（Ｂ）は（Ａ）の一部を拡大して示す図である。
【図２１】第１コネクタに導電部材が接続された状態を示す斜視図であって、（Ａ）は一部断面を含む斜視図であり、（Ｂ）は（Ａ）の一部を拡大して示す図である。
【図２２】第１コネクタに導電部材が接続された状態の一部を示す斜視図であって一部断面を含む斜視図である。
【図２３】第１コネクタに導電部材が接続される形態を説明するための図であって、（Ａ）は導電部材が保持部に挿通されて導電部材装着部に装着された状態を示す斜視図であり、（Ｂ）は第１コネクタに導電部材が接続された状態を示す斜視図であって一部断面を含む斜視図である。
【図２４】第１コネクタに導電部材が接続された状態を示す斜視図である。
【図２５】第１コネクタに導電部材が接続された状態を示す図であって、（Ａ）は側面図であり、（Ｂ）は（Ａ）のＸ１０−Ｘ１０線矢視方向から見た断面で示す図である。
【図２６】電気的接続装置における第２コネクタの斜視図であって、基板の一部とともに示す図である。
【図２７】第２コネクタの斜視図である。
【図２８】第２コネクタを示す図であって、（Ａ）は平面図であり、（Ｂ）は正面図であり、（Ｃ）は側面図である。
【図２９】第１コネクタが第２コネクタに接続される前の状態における電気的接続装置を示す斜視図であって、導電部材の一部とともに示す図である。
【図３０】第１コネクタが第２コネクタに接続される途中の状態における電気的接続装置を導電部材の一部とともに示す図であって、（Ａ）は斜視図であり、（Ｂ）は平面図である。
【図３１】第１コネクタが第２コネクタに接続された状態における電気的接続装置を導電部材の一部とともに示す図であって、（Ａ）は平面図であり、（Ｂ）は（Ａ）の一部を拡大して示す図である。
【図３２】電気的接続装置の第１コネクタ及び第２コネクタを並べて示す図であって、（Ａ）は第２コネクタの斜視図であり、（Ｂ）は第１コネクタを導電部材の一部とともに示す斜視図である。
【図３３】第１の変形例に係るコネクタを導電部材の一部とともに示す斜視図である。
【図３４】第１の変形例のコネクタにおける導電部材装着部を導電部材の一部とともに示す斜視図であって、（Ａ）は下面部側から見た状態を示す斜視図であり、（Ｂ）は上面部側から見た状態を示す斜視図である。
【図３５】第２の変形例に係るコネクタを導電部材の一部とともに示す斜視図である。
【図３６】第２の変形例のコネクタにおける導電部材装着部を導電部材の一部とともに示す斜視図であって、（Ａ）は下面部側から見た状態を示す斜視図であり、（Ｂ）は上面部側から見た状態を示す斜視図である。
【図３７】第３の変形例に係るコネクタの分解斜視図であって、導電部材の一部とともに示す図である。
【図３８】第３の変形例のコネクタを導電部材の一部とともに示す斜視図であって、（Ａ）は導電部材装着部が保持部に嵌合する前の状態を示す斜視図であり、（Ｂ）は導電部材装着部が保持部に嵌合した状態を示す斜視図である。
【図３９】第４の変形例に係るコネクタを導電部材の一部とともに示す図であって、（Ａ）は斜視図であり、（Ｂ）は側面図である。
【図４０】第４の変形例のコネクタについて、図３９（Ｂ）のＸ１４−Ｘ１４線矢視方向から見た断面図である。
【図４１】第４の変形例のコネクタを導電部材の一部とともに示す斜視図であって、コネクタに導電部材が接続される前の状態を示す図である。
【図４２】第４の変形例のコネクタを導電部材の一部とともに示す断面図であって、図４１に示す状態における図３９（Ｂ）のＸ１４−Ｘ１４線矢視位置に対応する断面を示す図である。
【図４３】第４の変形例のコネクタを導電部材の一部とともに示す図であって、（Ａ）はコネクタに導電部材が接続される途中の状態を示す斜視図であり、（Ｂ）は（Ａ）に示す状態における断面図であって図３９（Ｂ）のＸ１４−Ｘ１４線矢視位置に対応する断面を示す図である。
【図４４】第５の変形例に係るコネクタの導電部材装着部を導電部材の一部とともに示す図であって、（Ａ）は導電部材装着部の断面を含む斜視図であり、（Ｂ）は導電部材装着部の断面を含む平面図である。
【図４５】第６の変形例に係るコネクタの導電部材装着部を導電部材の一部とともに示す図であって、（Ａ）は導電部材装着部の断面を含む斜視図であり、（Ｂ）は導電部材の一部を示す斜視図である。
【図４６】第７の変形例に係るコネクタの導電部材装着部を導電部材の一部とともに示す斜視図である。
【図４７】第７の変形例に係るコネクタの導電部材装着部を導電部材の一部とともに示す斜視図であって、導電部材が導電部材装着部に装着される前の状態を示す図である。
【図４８】変形例に係る導電部材の一部を示す図であって、（Ａ）はコネクタに接続された状態をコネクタとともにコネクタの断面を含む状態で示す図であり、（Ｂ）は平面図である。
【図４９】他の変形例に係る導電部材の一部を示す図であって、（Ａ）はコネクタに接続された状態をコネクタとともにコネクタの断面を含む状態で示す図であり、（Ｂ）は平面図である。
【発明を実施するための形態】
【００３５】
以下、本発明を実施するための形態について図面を参照しつつ説明する。尚、本発明は、複数の導体を有するフレキシブルケーブル又はフレキシブル基板として構成される導電部材が接続されるコネクタ、及びそのコネクタを備える電気的接続装置に関して、広く適用することができる。
【００３６】
［電気的接続装置］
図１は、本発明の一実施の形態に係る電気的接続装置１の斜視図であって、導電部材１００及び基板１０１の一部とともに示す図である。図２は、電気的接続装置１の斜視図であって、導電部材１００及び基板１０１の一部とともに示す図である。
【００３７】
図１及び図２に示す電気的接続装置１は、導電部材１００と基板１０１とを電気的に接続する装置として構成されている。そして、電気的接続装置１は、本発明の一実施の形態に係るコネクタとして構成される第１コネクタ１１と、第１コネクタ１１が接続される相手側のコネクタである第２コネクタ１２と、を備えて構成されている。尚、図１及び図２では、導電部材１００について、一部のみを切り欠き状態で示している。また、図１及び図２では、基板１０１について、一部のみを切り欠き状態で示している。
【００３８】
電気的接続装置１の第１コネクタ１１は、導電部材１００に対して電気的に接続されるとともに、電気的接続装置１の第２コネクタ１２に対して電気的に接続されるように構成されている。本実施形態では、複数の導電部材１００に対して電気的に接続可能に構成された第１コネクタ１１を例示しており、より具体的には、２つの導電部材１００に対して電気的に接続可能に構成された第１コネクタ１１を例示している。尚、第１コネクタ１１は、２つの導電部材１００が接続された状態で用いられてもよく、また、１つの導電部材１００が接続された状態で用いられてもよい。
【００３９】
電気的接続装置１の第２コネクタ１２は、基板１０１に対して電気的に接続されるとともに、第１コネクタ１１に対して電気的に接続されるように構成されている。そして、導電部材１００に対して電気的に接続された第１コネクタ１１が、基板１０１に対して電気的に接続された第２コネクタ１２に対して、嵌合して接続されることで、第１コネクタ１１と第２コネクタ１２とが、機械的及び電気的に接続される。また、第１コネクタ１１と第２コネクタ１２とが電気的に接続されることで、導電部材１００と基板１０１とが電気的に接続される。
【００４０】
尚、図１及び図２において一部のみが切欠き状態で模式的に図示された基板１０１は、導電回路パターンが表裏面のうちの少なくともいずれか一方に設けられた基板として構成されている。図１及び図２では、基板１０１における導電回路パターンの図示は省略されている。
【００４１】
［導電部材］
ここで、第１コネクタ１１に接続される導電部材１００について更に説明する。図３は、導電部材１００を示す平面図である。図３においては、導電部材１００の端部１００ａを含む導電部材１００の一部が模式的に図示されている。図１乃至図３に示す導電部材１００は、本実施形態においては、絶縁被覆された複数の導体を有するフレキシブルケーブルとして構成されている。より具体的には、導電部材１００は、フレキシブルフラットケーブル（ＦＦＣ）として構成されている。導電部材１００は、複数の導体１０２、被覆部１０３、補強板１０４、等が設けられている。
【００４２】
導電部材１００は、全体形状が平坦な形状で細長く延びる形態を有している。しかし、図１乃至図３では、導電部材１００の端部１００ａの部分とその近傍の部分とが切り欠き状態で図示されている。即ち、図１乃至図３では、導電部材１００の長手方向における端部１００ａを含む一部が図示されている。
【００４３】
複数の導体１０２は、それぞれ細長く延びる形状に形成され、導電部材１００において等間隔で配列されている。そして、複数の導体１０２は、導電部材１００において、互いに平行に延びるように設けられている。平行に延びるように配置された複数の導体１０２が並ぶ方向が、導電部材１００の幅方向となる。各導体１０２は、例えば、１本の細長くて平たい箔状の金属線材として、或いは細かい金属線材が束ねられた集合体として構成されている。本実施形態では、各導体１０２が１本の平たい箔状の金属線材として構成された形態が、例示されている。
【００４４】
被覆部１０３は、絶縁性材料で形成されて、複数の導体１０２を被覆するように設けられている。即ち、複数の導体１０２は、被覆部１０３によって絶縁被覆されている。本実施形態では、被覆部１０３として、導電部材１００の表面側及び裏面側のそれぞれに設けられた一対の絶縁シート或いは絶縁フィルムを備えて構成された形態を例示している。この例では、例えば、一対の絶縁シート或いは一対の絶縁フィルムが、平行に配置された複数の導体１０２を挟んだ状態で、一体化される。これにより、複数の導体１０２を絶縁性材料で被覆する被覆部１０３が構成される。
【００４５】
補強板１０４は、例えば、樹脂材料で形成され、導電部材１００の端部１００ａに設けられている。補強板１０４は、導電部材１００の端部１００ａの先端の剛性を増大させて補強するための細長い平板状の部材として設けられている。尚、導電部材１００の端部１００ａが第１コネクタ１１に対して接続される際に、その接続工程が円滑に行われるように、導電部材１００の端部１００ａに補強板１０４が設けられている。
【００４６】
補強板１０４は、導電部材１００の端部１００ａの先端における表裏面のうちの一方の面に張り付けられて固定されている。尚、図３では、導電部材１００について、補強板１０４が固定された側と反対側の面が図示されている。補強板１０４は、導電部材１００の端部１００ａに対して、導電部材１００の長手方向に対して垂直な幅方向に沿って、且つ、端部１００ａの縁部分に沿って延びるように取り付けられている。尚、図３において、導電部材１００の長手方向が両端矢印Ｘ１で示されており、導電部材１００の幅方向が両端矢印Ｘ２で示されている。
【００４７】
また、導電部材１００には、その端部１００ａにおいて、複数の導体１０２の端部が露出した導体露出部１０５が設けられている。導体露出部１０５は、導電部材１００の端部１００ａにおいて、平坦に広がる表裏面のうち補強板１０４が取り付けられる側と反対側の面において複数の導体１０２の端部を露出させる部分として設けられている。
【００４８】
尚、図３においては、導電部材１００について、複数の導体１０２が露出した導体露出部１０５が形成された面の側から見た状態が図示されている。一方、図１及び図２においては、導電部材１００について、複数の導体１０２の端部が露出していない面の側から見た状態が図示されている。尚、図１及び図２では、補強板１０４は、第１コネクタ１１の内部に配置された状態のため、表れていない。導電部材１００においては、導体露出部１０５が形成された面と補強板１０４が取り付けられた面とのうち、一方の面が表面となり、他方の面が裏面となる。尚、導体露出部１０５が形成された面が表面と定義され、補強板１０４が取り付けられた面が裏面と定義されてもよく、逆に、導体露出部１０５が形成された面が裏面と定義され、補強板１０４が取り付けられた面が表面と定義されてもよい。
【００４９】
また、導電部材１００には、幅方向両端部のそれぞれの一部において、係合部１０６が設けられている。係合部１０６は、導電部材１００の端部１００ａにおいて、一対で設けられている。そして、各係合部１０６は、導電部材１００の端部１００ａにおいて、幅方向の両端部のそれぞれにて、幅方向の外側に向かって略矩形の形状で凸状に張り出した部分として設けられている。各係合部１０６は、導電部材１００が第１コネクタ１１に接続された際に、第１コネクタ１１における後述の被係合部３０に対して係合する部分として設けられている。
【００５０】
本実施形態では、第１コネクタ１１に対してフレキシブルケーブルとして構成された導電部材１００が接続される形態を例にとって説明するが、この通りでなくてもよい。即ち、第１コネクタ１１に接続される導電部材は、上述した形態のフレキシブルケーブルに限らず、複数の導体を有する導電部材であればよい。例えば、導電部材として、上述した形態とは異なる層構造或いは導体配置構造を有するフレキシブルケーブルが用いられてもよい。また、導電部材として、フレキシブルフラットケーブル以外の形態として構成されたフレキシブルケーブルが用いられてもよい。また、導電部材として、フレキシブルプリント回路基板（ＦＰＣ）などのフレキシブル基板が用いられてもよい。
【００５１】
［第１コネクタの概略］
図４は、電気的接続装置１における第１コネクタ１１の斜視図であって、導電部材１００の一部とともに示す図である。図５は、第１コネクタ１１を導電部材１００の一部とともに示す図であって、図５（Ａ）は平面図であり、図５（Ｂ）は正面図である。図６は、第１コネクタ１１及び導電部材１００の背面図である。図７は、第１コネクタ１１の斜視図であって、図４とは上下を逆の状態にして見た図である。電気的接続装置１の第１コネクタ１１は、本発明の一実施の形態に係るコネクタを構成している。尚、以下の説明では、第１コネクタ１１について、コネクタ１１とも称する。
【００５２】
図１、図２、図４乃至図７に示す第１コネクタ１１は、導電部材装着部１３、保持部１４、を備えて構成されている。本実施形態では、導電部材装着部１３が２つ備えられた第１コネクタ１１の形態を例示している。２つの導電部材装着部１３は、同様に構成されている。尚、導電部材装着部１３が１つのみ備えられた形態、又は、導電部材装着部１３が３つ以上備えられた形態の第１コネクタ１１が実施されてもよい。
【００５３】
［導電部材装着部］
図８は、第１コネクタ１１における導電部材装着部１３を示す斜視図である。図９は、導電部材装着部１３を示す図であって、図９（Ａ）は平面図であり、図９（Ｂ）は正面図であり、図９（Ｃ）は底面図である。図１０は、導電部材装着部１３を示す図であって、図１０（Ａ）は背面図であり、図１０（Ｂ）は図１０（Ａ）におけるＸ６線矢印方向から見た側面図である。尚、図８乃至図１０においては、１つの導電部材装着部１３のみを図示している。
【００５４】
図１、図４乃至図１０に示す導電部材装着部１３は、絶縁性を有する樹脂材料で形成され、導電部材１００の端部１００ａが装着されるように構成される。導電部材装着部１３は、厚み方向に薄く、幅方向に長い部材として設けられ、導電部材１００の端部１００ａが、厚み方向及び幅方向に対して垂直な方向である接続方向に沿って挿入されることで、装着される。導電部材装着部１３の幅方向は、導電部材１００の幅方向に対応し、導電部材装着部１３に挿入された導電部材１００の複数の導体１０２が並ぶ方向として構成される。導電部材装着部１３の接続方向は、導電部材装着部１３に対して導電部材１００の端部１００ａが挿入される方向と平行な方向であって、導電部材装着部１３が後述する保持部１４に対して嵌め込まれて接続される方向と平行な方向として構成される。尚、図９及び図１０において、導電部材装着部１３の厚み方向を両端矢印Ｘ３で示し、導電部材装着部１３の幅方向を両端矢印Ｘ４で示し、導電部材装着部１３の接続方向を両端矢印Ｘ５で示している。
【００５５】
導電部材装着部１３は、上面部１５、下面部１６、突出部１７、筒状部１８、閉側部２０、撓み規制部２１、係合突起部２２、等が設けられている。
【００５６】
上面部１５及び下面部１６は、導電部材装着部１３に挿入されて装着された導電部材１００の端部１００ａを導電部材１００の表裏面方向において挟み込むように構成されている。上面部１５及び下面部１６のそれぞれは、導電部材装着部１３において、幅方向に沿って平板状に延びる部分として設けられている。導電部材装着部１３を含む第１コネクタ１１が、基板１０１に接続された第２コネクタ１２に接続された状態では、導電部材装着部１３において、下面部１６が基板１０１の表面に対向した状態で配置され、上面部１５が基板１０１側と反対側に配置される。
【００５７】
また、導電部材装着部１３には、下面部１６側の先端側において、開口部２３が設けられている。尚、導電部材装着部１３の先端側は、導電部材装着部１３における後述する第２コネクタ１２に接続される端部側である。開口部２３は、導電部材装着部１３の下面部１６側の先端側において、導電部材装着部１３に挿入されて装着された導電部材１００の端部１００ａにおける導体露出部１０５を導電部材装着部１３の外部に露出させるように開口した領域として設けられている。本実施形態では、開口部２３が、導電部材装着部１３の幅方向に２つ並んで設けられ、後述する撓み規制部２１のリブ２１ａを挟んで設けられた形態を例示している。導電部材装着部１３は、開口部２３が設けられていることで、下面部１６側において、後述する一対の突出部１７のそれぞれと撓み規制部２１のリブ２１ａとの間の領域が、切欠き状に凹む形状に形成されている。
【００５８】
突出部１７は、導電部材装着部１３における幅方向の両端部において導電部材装着部１３の先端側に向かって突出するように設けられている。そして、突出部１７は、一対で設けられ、導電部材装着部１３の幅方向の両端部のそれぞれにおいて、略矩形の断面で突出する部分として設けられている。また、突出部１７は、後述する第２コネクタ１２のハウジング３４に導電部材装着部１３が嵌合する際にハウジング３４に設けられた後述の案内溝３８に沿って案内されて案内溝３８に嵌め込まれるように構成されている。
【００５９】
また、各突出部１７は、上面部１５及び下面部１６の一方に対する突出部１７の突出長さが、上面部１５及び下面部１６の他方に対する突出長さよりも長くなるように、構成されている。本実施形態においては、導電部材装着部１３の下面部１６側の先端側において開口部２３が設けられた形態を例示しているため、下面部１６に対する突出部１７の突出長さが上面部１５に対する突出長さよりも長くなるように構成された突出部１７が設けられた導電部材装着部１３の形態を例示している。
【００６０】
筒状部１８は、導電部材装着部１３において、導電部材１００の端部１００ａが挿入される挿入口１９を区画する筒状の部分として設けられている。より具体的には、筒状部１８は、導電部材装着部１３の厚み方向に薄い角筒状の部分として設けられている。角筒状の部分として設けられた筒状部１８の内側の領域が、挿入口１９となる。挿入口１９は、導電部材装着部１３の先端側と反対側において、導電部材１００の端部１００ａが挿入可能なように、外部に開口している。導電部材１００の端部１００ａは、導電部材装着部１３における先端側と反対側から挿入口１９に挿入されることで、導電部材装着部１３に装着される。
【００６１】
閉塞部２０は、下面部１６における開口部２３側と反対側の端部として設けられている。そして、閉塞部２０は、後述する保持部１４の挿通孔２６の一部を塞ぐ部分として設けられている。閉塞部２０は、後述するように、保持部１４の挿通孔２６に挿通された導電部材１００の端部１００ａが装着された状態の導電部材装着部１３が保持部１４に嵌め込まれた際に、係合部１０６が保持部１４の被係合部３０に係合した状態で、保持部１４の挿通孔２６の一部を塞ぐように構成される。
【００６２】
撓み規制部２１は、導電部材装着部１３における幅方向中央部分において設けられている。そして、撓み規制部２１は、導電部材装着部１３に装着された導電部材１００の端部１００ａを導電部材１００の表裏面方向において挟みこむように構成されて導電部材１００が撓むように変形することを規制する部分として設けられている。
【００６３】
本実施形態の導電部材装着部１３では、撓み規制部２１は、リブ２１ａと中央押さえ部２１ｂとを備えて構成されている。リブ２１ａは、導電部材装着部１３の下面部１６側において、幅方向中央部分に設けられ、下面部１６から導電部材装着部１３の先端側に向かって延びる部分として構成されている。リブ２１ａによって、２つの開口部２３が区画されている。中央押さえ部２１ｂは、上面部１５の一部として構成され、上面部１５における幅方向の中央部分として構成されている。中央押さえ部２１ｂにおける導電部材装着部１３の先端側の端部は、リブ２１ａと一体に設けられている。
【００６４】
導電部材１００の端部１００ａが、導電部材装着部１３における先端側と反対側から挿入口１９に挿入され、導電部材装着部１３に装着されると、導電部材１００の端部１００ａは、リブ２１ａと中央押さえ部２１ｂとの間で挟まれた状態となる。また、この状態では、導電部材１００の端部１００ａの先端の縁部分は、中央押さえ部２１ｂにおける導電部材装着部１３の先端側の端部とリブ２１ａとを一体に架橋する部分に対して当接し、導電部材装着部１３に対して位置決めされた状態となる。
【００６５】
尚、上面部１５における導電部材装着部１３の先端側の端部においては、導電部材装着部１３の幅方向に亘って延びる当接壁部１５ａが設けられている。導電部材１００の端部１００ａが、挿入口１９に挿入されて導電部材装着部１３に装着され、リブ２１ａと中央押さえ部２１ｂとの間で挟まれた状態では、導電部材１００の端部１００ａの先端の縁部分は、当接壁部１５ａに対しても当接し、導電部材装着部１３に対して位置決めされた状態となる。尚、導電部材１００の端部１００ａが、当接壁部１５ａに対して当接し、導電部材装着部１３に対して位置決めされた状態では、導体露出部１０５は、開口部２３から外部に露出している。
【００６６】
係合突起部２２は、導電部材装着部１３が後述する保持部１４に対して嵌め込まれて接続された際に、保持部１４に対して係合する部分として設けられる。導電部材装着部１３が保持部１４に嵌め込まれて接続された際に、係合突起部２２が保持部１４に係合することで、導電部材装着部１３が保持部１４に対してロックされ、導電部材装着部１３が保持部１４から抜けて脱落してしまうことが防止される。
【００６７】
係合突起部２２は、導電部材装着部１３における幅方向の両側において導電部材装着部１３の先端側と反対側に向かって片持ち状に突出するように設けられている。係合突起部２２は、一対で設けられ、導電部材装着部１３における幅方向の両側のそれぞれに設けられている。各係合突起部２２における片持ち状に突出する端部には、突起２２ａが設けられている。導電部材装着部１３が保持部１４に嵌め込まれて接続された際には、各係合突起部２２の突起２２ａが保持部１４に係合する。
【００６８】
［保持部］
図１１は、第１コネクタ１１における保持部１４を示す斜視図である。図１２は、保持部１４を示す図であって、図１２（Ａ）は平面図であり、図１２（Ｂ）は正面図である。図１３は、保持部１４を示す図であって、図１３（Ａ）は保持部１４の背面図のみを示すであり、図１３（Ｂ）は保持部１４の背面図を示すとともに更に保持部１４の挿通孔２６における各領域も模式的に示す図である。
【００６９】
図１、図２、図４乃至図７、図１１乃至図１３に示す保持部１４は、導電部材１００が挿通されるとともに、導電部材装着部１３が嵌め込まれて接続されるように構成される。また、保持部１４は、第２コネクタ１２に対して係合して接続されるように構成される。保持部１４は、絶縁性を有する樹脂材料で形成されている。そして、保持部１４は、本体部２４、ロックアーム部２５、等を備えて構成されている。
【００７０】
保持部１４の本体部２４は、筐体状の外形を有する部分として設けられ、保持部１４の幅方向に長く延びる部分として設けられている。保持部１４の幅方向は、導電部材１００の幅方向及び導電部材装着部１３の幅方向に対応している。そして、保持部１４の幅方向は、導電部材１００が装着された導電部材装着部１３が保持部１４に嵌め込まれて接続された状態において導電部材１００の複数の導体１０２が並ぶ方向として構成される。尚、図１２及び図１３（Ａ）において、保持部１４の幅方向を両端矢印Ｘ７で示している。
【００７１】
本体部２４には、導電部材１００が挿通される挿通孔２６が設けられている。挿通孔２６は、本体部２４において、複数設けられており、本実施形態では、２つ設けられている。また、本体部２４には、挿通孔２６に挿通された導電部材１００の端部１００ａが装着された状態の導電部材装着部１３が嵌合して嵌め込まれるように構成された嵌合孔２７が設けられている。嵌合孔２７は、本体部２４において、複数設けられており、本実施形態では、第１コネクタ１１の導電部材装着部１３に対応して、２つ設けられている。
【００７２】
各挿通孔２６は、本体部２４において、保持部１４の幅方向に延びる孔形状に形成されている。そして、２つの挿通孔２６は、本体部２４において、保持部１４の厚み方向に並んで設けられている。保持部１４の厚み方向は、導電部材装着部１３の厚み方向に対応している。尚、図１２（Ｂ）及び図１３（Ａ）において、保持部１４の厚み方向を両端矢印Ｘ８で示している。
【００７３】
各嵌合孔２７は、本体部２４において、保持部１４の幅方向に延びる孔形状に形成されている。そして、２つの嵌合孔２７は、本体部２４において、保持部１４の厚み方向に並んで設けられている。
【００７４】
各挿通孔２６は、各嵌合孔２７に連通している。そして、各挿通孔２６は、本体部２４において、保持部１４の接続方向における後述の第２コネクタ１２へ接続される側の端部にて開口している。一方、各嵌合孔２７は、本体部２４において、保持部１４の接続方向における第２コネクタ１２へ接続される側と反対側の端部であって導電部材装着部１３が嵌合する側の端部にて開口している。連通した挿通孔２６及び嵌合孔２７は、本体部２４において、保持部１４の接続方向に貫通するように構成されている。
【００７５】
尚、保持部１４の接続方向は、接続部１４の幅方向及び厚み方向に垂直な方向である。そして、保持部１４の接続方向は、保持部１４に対して導電部材装着部１３が嵌合する方向と平行な方向であって、保持部１４が後述する第２コネクタ１２に対して接続される方向と平行な方向として構成される。尚、図１２（Ａ）において、保持部１４の接続方向を両端矢印Ｘ９で示している。
【００７６】
保持部１４は、導電部材１００が挿通孔２６に挿通されるとともに導電部材装着部１３が嵌合孔２７に嵌合した状態で、基板１０１に接続された第２コネクタ１２に対して、接続される。保持部１４は、第２コネクタ１２に接続された状態では、本体部２４の上面２４ａが基板１０１側と反対側に配置され、本体部２４の下面２４ｂが基板１０１の表面に対向した状態で配置される。尚、本体部２４の上面２４ａ及び下面２４ｂは、保持部１４の厚み方向における両端面として構成される。
【００７７】
ここで、保持部１４の本体部２４に設けられた挿通孔２６の構成について更に詳しく説明する。保持部１４の各挿通孔２６は、導電部材通過領域２８と導電部材配置領域２９とを含んで構成されている（図１３（Ｂ）を参照）。各挿通孔２６における導電部材通過領域２８と導電部材配置領域２９とは、互いに連続した領域として構成され、本体部２４において、保持部１４の接続方向における後述の第２コネクタ１２へ接続される側の端部に開口している。また、互いに連続した導電部材通過領域２８と導電部材配置領域２９とは、いずれも保持部１４の幅方向に延びる領域として構成されている。
【００７８】
導電部材通過領域２８は、導電部材１００が挿通孔２６に挿通される際に導電部材１００が通過する領域として構成されている。導電部材１００が挿通孔２６に挿通される際には、導電部材１００は、その幅方向が、挿通孔２６の幅方向に広がった状態で、導電部材通過領域２８を通過する。尚、挿通孔２６の幅方向は、導電部材通過領域２８の幅方向及び導電部材配置領域２９の幅方向と同方向であり、保持部１４の幅方向及び嵌合孔２７の幅方向に対応している。
【００７９】
また、導電部材通過領域２８は、挿通孔２６における幅方向の両端側において、係合部通過領域２８ａを含んでいる。係合部通過領域２８ａは、導電部材通過領域２８において、一対で含まれている。そして、係合部通過領域２８ａは、挿通孔２６における幅方向の両端側の領域であって導電部材１００が挿通孔２６に挿通されて挿通孔２６を通過する際に導電部材１００の係合部１０６が通過する領域として構成されている。
【００８０】
導電部材配置領域２９は、導電部材通過領域２８に対して本体部２４の上面２４ａ側で連続した領域として設けられている。そして、導電部材配置領域２９は、導電部材１００が挿通孔２６に挿通された後に導電部材通過領域２８からずれるように変位した状態で導電部材１００が配置される領域として構成されている。導電部材配置領域２９は、導電部材通過領域２８に対して上面２４ａ側に配置されているため、導電部材１００は、挿通孔２６に挿通された後に導電部材通過領域２８から上面２４ａ側にずれるように変位させられた状態で導電部材配置領域２９に配置される。尚、導電部材１００が導電部材配置領域２９に配置された際には、導電部材１００は、その幅方向が、挿通孔２６の幅方向に広がった状態で、導電部材配置領域２９に配置される。
【００８１】
また、保持部１４の本体部２４には、導電部材１００の係合部１０６が係合するように構成された被係合部３０が設けられている。被係合部３０は、本体部２４において、各挿通孔２６のそれぞれに対して、一対で対応して設けられている。各挿通孔２６に対応して設けられた一対の被係合部３０は、本体部２４の内側において、挿通孔２６の幅方向の両端側に対応する位置に設けられている。
【００８２】
各被係合部３０は、導電部材１００の幅方向の両端部で外側に向かって略矩形の形状で凸状に張り出した部分として設けられた係合部１０６に係合するように、本体部２４の内側で段状に張り出した部分として設けられている。また、本体部２４において、各挿通孔２６に対応した位置に設けられた一対の被係合部３０は、導電部材配置領域２９の幅方向両端部に対して幅方向の外側で隣接した位置であって、係合部通過領域２８ａに対して上面２４ａ側で隣接した位置に、設けられている。これにより、一対の被係合部３０は、導電部材１００が挿通孔２６に挿通された後に導電部材通過領域２８から上面２４ａ側にずれるように変位して導電部材配置領域２９に配置された状態で、導電部材１００の一対の係合部１０６に対して係合するように構成されている。
【００８３】
また、本体部２４には、係合凸部３１が設けられている。係合凸部３１は、導電部材装着部１３が嵌合孔２７に対して嵌め込まれて保持部１４に接続された際に、導電部材装着部１３の係合突起部２２と係合する部分として設けられている。係合凸部３１は、本体部２４において、各嵌合孔２７のそれぞれに対して、一対で対応して設けられている。各嵌合孔２７に対応して設けられた一対の係合凸部３１は、本体部２４の内側において、嵌合孔２７の幅方向の両端側に対応する位置に設けられている。
【００８４】
各係合凸部３１は、導電部材装着部１３の幅方向の両側のそれぞれに設けられた係合突起部２２の突起２２ａに係合するように、本体部２４の内側で凸状に張り出した部分として設けられている。導電部材装着部１３が保持部１４に対して嵌合孔２７から挿入されると、まず、保持部１４の本体部２４の内側において、片持ち状に設けられた係合突起部２２が係合凸部３１に当接して一旦撓む。そして、導電部材装着部１３が更に嵌合孔２７の奥側まで挿入されて嵌め込まれると、撓んでいた係合突起部２２が弾性回復し、片持ち状の係合突起部２２の端部の突起２２ａが、係合凸部３１に係合する。これにより、導電部材装着部１３の係合突起部２２が保持部１４に対して係合凸部３１において係合し、導電部材装着部１３が保持部１４に対してロックされて保持される。この結果、導電部材装着部１３が保持部１４から抜けて脱落してしまうことが防止される。このように、保持部１４は、導電部材装着部１３を保持するように構成されている。
【００８５】
また、保持部１４の本体部２４には、保持部１４に嵌合して接続された導電部材装着部１３の保持部１４に対する嵌合完了位置を位置決めするための位置決め壁部３２が設けられている。位置決め壁部３２は、本体部２４において、各嵌合孔２７に連通する各挿通孔２６に対応する位置に設けられている。より具体的には、位置決め壁部３２は、本体部２４において、各挿通孔２６の開口に対して上面２４ａ側で隣接した位置において、保持部１４の幅方向に沿って延びる壁部として設けられている。
【００８６】
尚、導電部材装着部１３には、保持部１４に嵌合して接続された際に保持部１４の本体部２４の位置決め壁部３２に当接する当接部３３が設けられている（図８乃至図１０を参照）。当接部３３は、導電部材装着部１３において、その先端側と反対側の端部の一部として設けられ、導電部材装着部１３の幅方向に沿って延びる部分として設けられている。そして、当接部３３は、導電部材装着部１３において、一対の係合突起部２２の間に設けられている。また、当接部３３は、導電部材装着部１３の厚み方向において、閉塞部２０に対して、上面部１５側に設けられている。
【００８７】
導電部材装着部１３が、保持部１４に対して、嵌合孔２７から嵌合して接続されると、導電部材装着部１３の係合突起部２２が保持部１４の係合凸部３１に対して係合する。そして、係合突起部２２が係合凸部３１に係合した状態では、導電部材装着部１３の当接部３３が、保持部１４の位置決め壁部３２に対して、保持部１４の内側で当接する。これにより、保持部１４に嵌合して接続された導電部材装着部１３の保持部１４に対する嵌合完了位置の位置決めが行われることになる。
【００８８】
保持部１４のロックアーム部２５は、第１コネクタ１１が後述する第２コネクタ１２に対して接続された際に、第２コネクタ１２に係合して第１コネクタ１１を第２コネクタ１２に対してロックする部分として設けられている。尚、第１コネクタ１１は、保持部１４に挿通された導電部材１００が装着された導電部材装着部１３が保持部１４に嵌合して接続された状態で、第２コネクタ１２に接続される（図１及び図２を参照）。
【００８９】
ロックアーム部２５は、一対で設けられ、保持部１４における幅方向の両側のそれぞれに設けられている。一対のロックアーム部２５は、本体部２４に一体に設けられている。また、一対のロックアーム部２５のそれぞれは、保持部１４において片持ち状に突出するように設けられている。また、一対のロックアーム部２５のそれぞれは、保持部１４の接続方向と平行な方向であって、本体部２４における導電部材装着部１３が嵌合する側の端部側から突出するように設けられている。
【００９０】
各ロックアーム部２５における片持ち状に突出する端部には、係合爪部２５ａが設けられている。係合爪部２５ａは、各ロックアーム２５において、保持部１４の幅方向の内側に向かって突起状に突出した凸部として設けられている。第１コネクタ１１が第２コネクタ１２に接続された際には、各ロックアーム部２５の係合爪部２５ａが第２コネクタ１２に係合する。導電部材１００が装着された導電部材装着部１３が嵌合した保持部１４が第２コネクタ１２に係合することで、第１コネクタ１１が第２コネクタ１２に接続されてロックされる。これにより、接続された第１コネクタ１１と第２コネクタ１２とが外れてしまうことが防止される。
【００９１】
［第１コネクタと導電部材との接続］
次に、第１コネクタ１１と導電部材１００との接続に関する構成について更に詳しく説明する。図１４は、第１コネクタ１１に導電部材１００が接続される形態を説明するための図であって、図１４（Ａ）は、導電部材１００が保持部１４に挿通される前の状態を示す斜視図であり、図１４（Ｂ）は、保持部１４に挿通された導電部材１００が導電部材装着部１３に装着される前の状態を示す斜視図である。図１５は、第１コネクタ１１に導電部材１００が接続される形態を説明するための図であって、図１５（Ａ）は、導電部材１００が保持部１４に挿通される途中の状態を示す斜視図であって一部断面を含む斜視図であり、図１５（Ｂ）は、図１５（Ａ）の一部を拡大して示す図である。尚、図１４及び図１５では、保持部１４の本体部２４の下面２４ｂ側を上にした状態の斜視図を示しており、導電部材１００についてはその一部を図示している。また、図１４及び図１５では、第１コネクタ１１と１つの導電部材１００とが接続される形態を例示している。
【００９２】
図１４及び図１５に示すように、第１コネクタ１１と導電部材１００とが接続される際には、まず、保持部１４に対して導電部材１００の端部１００ａが挿通される。このとき、図１４（Ａ）に示すように、導電部材１００の端部１００ａが保持部１４が挿通孔２６に対向した状態から、導電部材１００の挿通孔２６への挿通が開始される。
【００９３】
導電部材１００の挿通孔２６への挿通が開始されると、図１５（Ａ）、図１５（Ｂ）、及び図１４（Ｂ）に示すように、導電部材１００の端部１００ａが、挿通孔２６及び嵌合孔２７に挿通されて挿通孔２６及び嵌合孔２７を通過する。このとき、導電部材１００は挿通孔２６における導電部材通過領域２８を通過する。そして、導電部材１００における一対の係合部１０６のそれぞれは、挿通孔２６における一対の係合部通過領域２８ａのそれぞれを通過する。
【００９４】
導電部材１００の端部１００ａは、挿通孔２６及び嵌合孔２７を通過すると、次いで、導電部材装着部１３に対して装着される。このとき、導電部材１００の端部１００ａが導電部材装着部１３の挿入口１９に対向した状態から、導電部材１００の導電部材装着部１３への装着が開始される（図１４（Ｂ）を参照）。
【００９５】
尚、図１４及び図１５においては、導電部材１００が、端部１００ａ側から挿通孔２６に挿通される形態を例示したが、必ずしもこの通りでなくてもよい。例えば、導電部材１００の長さが比較的短いような場合であれば、導電部材１００が、端部１００ａ側からではなく端部１００ａと反対側から嵌合孔２７に挿通され、更に、挿通孔２６へと挿通される形態が実施されてもよい。
【００９６】
図１６は、第１コネクタ１１に導電部材１００が接続される形態を説明するための図であって、図１６（Ａ）は導電部材１００が保持部１４に挿通されて導電部材装着部１３に装着された状態を示す斜視図であり、図１６（Ｂ）は保持部１４に挿通された導電部材１００が装着された導電部材装着部１３が保持部１４に接続された状態を示す斜視図である。尚、図１６では、導電部材装着部１３の下面部１６側と保持部１４の本体部２４の下面２４ｂ側とを上にした状態の斜視図を示しており、導電部材１００についてはその一部を図示している。また、図１６は、第１コネクタ１１と１つの導電部材１００とが接続される状態を示している。
【００９７】
保持部１４に対して導電部材１００の端部１００ａが挿通されると、次いで、図１６（Ａ）に示すように、保持部１４の挿通孔２６に挿通された導電部材１００の端部１００ａに導電部材装着部１３が装着される。そして、図１６（Ｂ）に示すように、導電部材１００が挿通孔２６に挿通された状態であって、導電部材１００の端部１００ａに導電部材装着部１３が装着された状態で、導電部材装着部１３が保持部１４に嵌め込まれて接続される。
【００９８】
図１７は、導電部材１００が導電部材装着部１３に装着された状態を示す図であって、図１７（Ａ）は、導電部材装着部１３の下面部１６側から見た斜視図であり、図１７（Ｂ）は、導電部材装着部１３の上面部１５側から見た斜視図である。図１８は、導電部材１００が導電部材装着部１３に装着された状態を示す図であって、図１８（Ａ）は、斜視図であり、図１８（Ｂ）は、図１８（Ａ）の斜視図において一部を断面で示した状態の斜視図である。図１８（Ｂ）は、導電部材装着部１３の幅方向に対して垂直な断面を含む斜視図として図示されている。図１９は、導電部材１００が導電部材装着部１３に装着された状態を示す図であって、図１９（Ａ）は、一部を断面を含む状態で示す斜視図であり、図１９（Ｂ）は、図１９（Ａ）とは異なる断面を含む状態で示す斜視図である。図１９（Ａ）は、導電部材装着部１３の厚み方向に対して垂直な断面を含む斜視図として図示されている。図１９（Ｂ）は、導電部材装着部１３の接続方向に対して垂直な断面を含む斜視図として図示されている。尚、図１７乃至図１９では、導電部材１００についてはその一部を図示している。また、図１７乃至図１９では、保持部１４の図示は省略されている。また、図１８及び図１９では、導電部材装着部１３の下面部１６側を上にした状態の斜視図を示している。
【００９９】
保持部１４の挿通孔２６に挿通された導電部材１００が、その導電部材１００の端部１００ａにおいて、導電部材装着部１３に装着される際には、導電部材１００の端部１００ａは、導電部材装着部１３の挿入口１９に挿入される。このとき、導電部材１００の端部１００ａは、挿入口１９から、導電部材装着部１９の接続方向と平行に導電部材装着部１９の先端側に向かって、挿入される。筒状部１８で区画された挿入口１９に挿入された導電部材１００の端部１００ａは、挿入口１９の奥まで挿入されると、端部１００ａの先端の縁部分が当接壁部１５ａに対して導電部材装着部１３の内側から当接する。これにより、図１６（Ａ）、図１７乃至図１９に示すように、挿入口１９に挿入された導電部材１００の端部１００ａは、導電部材装着部１３に対して位置決めされた状態で装着される。
【０１００】
また、導電部材１００の端部１００ａが導電部材装着部１３に装着された状態では、導電部材１００の端部１００ａの導体露出部１０５は、導電部材装着部１３の開口部２３から外部に露出している。更に、導電部材１００の端部１００ａが導電部材装着部１３に装着された状態では、導電部材１００の端部１００ａは、導電部材１００の長手方向における所定の領域が、導電部材装着部１３の筒状部１８によって周囲を環状に覆われて囲い込まれることになる。より具体的には、導電部材１００の端部１００ａは、導電部材１００の長手方向において導体露出部１０５に隣接した部分が、筒状部１８によって覆われて囲い込まれた状態となる。
【０１０１】
図２０は、第１コネクタ１１に導電部材１００が接続される形態を説明するための図であって、図２０（Ａ）は、導電部材１００が保持部１４に挿通されて導電部材装着部１３に装着された状態を示す斜視図であって一部断面を含む斜視図であり、図２０（Ｂ）は、図２０（Ａ）の一部を拡大して示す図である。尚、図２０は、導電部材装着部１３が保持部１４に嵌め込まれて接続される動作の途中の状態が図示されている。また、図２０では、導電部材１００についてはその一部を図示している。また、図２０では、保持部１４の幅方向に対して垂直な断面を含む斜視図として図示されている。
【０１０２】
図２０に示すように、導電部材１００が挿通孔２６に挿通され、更に、導電部材１００の端部１００ａに導電部材装着部１３が装着されると、導電部材装着部１３が保持部１４に嵌め込まれて接続される動作が行われる。このとき、導電部材１００が、挿通孔２６において導電部材通過領域２８から導電部材配置領域２９にずれるように変位させられた状態で、導電部材装着部１３が、保持部１４に対して嵌合孔２７から嵌め込まれる。即ち、導電部材１００が装着された導電部材装着部１３が保持部１４に嵌め込まれる際には、導電部材１００が挿通孔２６における導電部材配置領域２９を通過するように、導電部材装着部１３が保持部１４の嵌合孔２７に嵌め込まれる。
【０１０３】
図２１は、第１コネクタ１１に導電部材１００が接続された状態を示す斜視図であって、図２１（Ａ）は、一部断面を含む斜視図であり、図２１（Ｂ）は、図２１（Ａ）の一部を拡大して示す図である。図２１は、保持部１４の幅方向に対して垂直な断面を含む斜視図として図示されている。図２２は、第１コネクタ１１に導電部材１００が接続された状態の一部を示す斜視図であって一部断面を含む斜視図である。図２２は、導電部材装着部１３の厚み方向と保持部１４の厚み方向とに対して垂直な断面を含む斜視図として図示されている。図２３は、第１コネクタ１１に導電部材１００が接続される形態を説明するための図であって、図２３（Ａ）は、導電部材１００が保持部１４に挿通されて導電部材装着部１３に装着された状態を示す斜視図であり、図２３（Ｂ）は、第１コネクタ１１に導電部材１００が接続された状態を示す斜視図であって一部断面を含む斜視図である。図２３（Ｂ）は、保持部１４の厚み方向に対して垂直な断面を含む斜視図として図示されている。図２４は、第１コネクタ１１に導電部材１００が接続された状態を示す斜視図である。図２５は、第１コネクタ１１に導電部材１００が接続された状態を示す図であって、図２５（Ａ）は、側面図であり、図２５（Ｂ）は、図２５（Ａ）のＸ１０−Ｘ１０線矢視方向から見た断面で示す図である。尚、図２１乃至図２５では、導電部材１００についてはその一部を図示している。また、図２１乃至図２３は、第１コネクタ１１と１つの導電部材１００とが接続される状態を示しており、図２４及び図２５は、第１コネクタ１１と２つの導電部材１００とが接続された状態を示している。
【０１０４】
導電部材１００が装着された導電部材装着部１３が保持部１４に嵌め込まれる際には、導電部材装着部１３は、閉塞部２０、係合突起部２２、及び当接部３３が設けられた端部から、保持部１４の嵌合孔２７に嵌め込まれる（図２０及び図２３（Ａ）を参照）。導電部材装着部１３が保持部１４に対して嵌合孔２７の奥側まで嵌合して嵌め込まれると、導電部材１００は、挿通孔２６において、導電部材配置領域２９に配置される。
【０１０５】
そして、導電部材装着部１３が保持部１４に嵌め込まれた状態では、導電部材１００の一対の係合部１０６は、保持部１４の一対の被係合部３０に対して係合した状態となる（図２１、図２２、及び図２５を参照）。また、一対の係合部１０６は、一対の被係合部３０に係合した状態では、導電部材装着部１３と保持部１４とによって、導電部材装着部１３及び保持部１４の接続方向と厚み方向とにおいて、挟まれた状態で強固に保持されることになる。
【０１０６】
尚、図２４及び図２５に示すように、２つの導電部材１００が第１コネクタ１１に接続される際には、各導電部材１００が装着された各導電部材装着部１３が、保持部１４の各嵌合孔２７に嵌め込まれる。そして、各導電部材１００の一対の係合部１０６が、保持部１４の各挿通孔２６に対応した一対の被係合部３０に対して係合する。
【０１０７】
また、導電部材装着部１３が保持部１４に嵌め込まれた状態では、導電部材装着部１３の閉塞部２０は、保持部１４の挿通孔２６に嵌まり込んだ状態で挿通孔２６の一部である導電部材通過領域２８を塞ぐように構成されている（図２１及び図２４を参照）。よって、閉塞部２０は、挿通孔２６に挿通された導電部材１００の端部１００ａが装着された状態の導電部材装着部１３が保持部１４に嵌め込まれた際に、係合部１０６が被係合部３０に係合した状態で、挿通孔２６における導電部材通過領域２８を塞ぐように構成されている。また、上記の構成のため、閉塞部２０は、挿通孔２６に挿通された導電部材１００の端部１００ａが装着された状態の導電部材装着部１３が保持部１４に嵌め込まれた際に、係合部１０６が被係合部３０に係合した状態で、挿通孔２６における少なくとも係合部通過領域２８ａを塞ぐように構成されている。
【０１０８】
また、導電部材装着部１３が保持部１４に嵌め込まれた状態では、導電部材装着部１３の一対の係合突起部２２は、保持部１４の内側において、保持部１４の一対の係合凸部３１に対して、各突起２２ａにおいて、係合した状態となる（図２３（Ｂ）を参照）。これにより、導電部材装着部１３が保持部１４に対してロックされ、導電部材装着部１３が保持部１４から抜けて脱落してしまうことが防止される。尚、図２４及び図２５に示すように２つの導電部材１００が第１コネクタ１１に接続される際には、各導電部材１００が装着された各導電部材装着部１３の一対の係合突起部２２が、保持部１４の各挿通孔２６に対応した一対の係合凸部３１に対して、各突起２２ａにおいて、係合する。
【０１０９】
また、導電部材装着部１３が保持部１４に嵌め込まれた状態では、導電部材装着部１３の当接部３３は、保持部１４の内側において、保持部１４の位置決め壁部３２に対して当接する（図２３（Ｂ）を参照）。これにより、保持部１４に嵌合して接続された導電部材装着部１３の保持部１４に対する嵌合完了位置の位置決めが行われることになる。尚、図２４及び図２５に示すように２つの導電部材１００が第１コネクタ１１に接続される際には、各導電部材１００が装着された各導電部材装着部１３の当接部３３が、保持部１４の各挿通孔２６に対応した位置決め壁部３２に対して当接する。
【０１１０】
［第２コネクタ］
図２６は、電気的接続装置１における第２コネクタ１２の斜視図であって、基板１０１の一部とともに示す図である。図２７は、第２コネクタ１２の斜視図である。図２８は、第２コネクタ１２を示す図であって、図２８（Ａ）は平面図であり、図２８（Ｂ）は正面図であり、図２８（Ｃ）は側面図である。
【０１１１】
図１、図２、図２６乃至図２８に示す第２コネクタ１２は、第１コネクタ１１が機械的及び電気的に接続される。第２コネクタ１２は、基板１０１に対して接続された状態で、第１コネクタ１１に接続される。そして、第２コネクタ１２は、ハウジング３４、複数の端子３５、固定金具３６、等を備えて構成されている。
【０１１２】
複数の端子３５は、導電性を有する金属材料でそれぞれ形成され、後述するハウジング３４に保持されている。そして、複数の端子３５は、導電部材装着部１３に装着された導電部材１００における複数の導体１０２に対してそれぞれ電気的に接続されるように構成されている。より具体的には、各端子３５は、第１コネクタ１１が第２コネクタ１２に接続された際に、各導体１０２と接触することで、各導体１０２に対して電気的に接続される。
【０１１３】
また、複数の端子３５のそれぞれは、基板１０１に対して機械的及び電気的に接続される。より具体的には、端子３５は、基板１０１の表面においてはんだ付けされることによって、基板１０１に対して機械的に固定されるとともに、基板１０１の導電回路パターンに対して電気的に接続される。
【０１１４】
また、複数の端子３５は、ハウジング３４において、ハウジング３４の幅方向に沿って２列に並んで配置されている。即ち、ハウジング３４の幅方向は、複数の端子３５が並んで配置される方向として構成される。ハウジング３４の幅方向については、図２８（Ａ）及び図２８（Ｂ）にて、両端矢印Ｘ１１で示している。尚、ハウジング３４の幅方向は、第２コネクタ１２の幅方向と同じ方向となる。また、第２コネクタ１２と第１コネクタ１１とが接続された状態では、第２コネクタ１２の幅方向は、第１コネクタ１１の幅方向と同じ方向となる。
【０１１５】
複数の端子３５のそれぞれは、一体に設けられた基板接続部３５ａ及び導体接続部３５ｂを含んで構成されている。基板接続部３５ａは、各端子３５における一方の端部側の部分として設けられ、基板１０１に対して接続される部分として構成されている。導体接続部３５ｂは、各端子３５における他方の端部側の部分として設けられ、導電部材１００の導体１０２に対して接続される部分として構成されている。
【０１１６】
尚、各端子３５は、他端側において、即ち、基板接続部３５ａとは反対側において、導電部材１００の端部１００ａを厚み方向に挟み込む一対の片持ち状の端部として設けられた一対の把持部を有している。導体接続部３５ｂは、一対の把持部の一方の部分として構成されている。一対の把持部が導電部材１００の端部１００ａを挟み込んだ状態で、導電部材１００の端部１００ａの導体露出部１０５にて露出した導体１０２に対して一対の把持部の一方として設けられた導体接続部３５ｂが接触して電気的に接続される。
【０１１７】
固定金具３６は、金属材料で形成され、第２コネクタ１２を強固に基板１０１に固定するための部材として設けられている。固定金具３６は、一対で設けられ、ハウジング３４の幅方向における両端側にそれぞれ固定されている。各固定金具３６は、ハウジング３４に対して、例えば、圧入されることで固定されている。また、各固定金具３６は、基板１０１の表面においてはんだ付けされることによって、基板１０１に対して機械的に固定される。
【０１１８】
ハウジング３４は、絶縁性を有する樹脂材料で形成され、幅方向に長く延びる筐体状の外形を有する部材として設けられている。ハウジング３４は、複数の端子３５を保持するように構成されている。そして、ハウジング３４は、第１コネクタ１１の導電部材装着部１３が嵌合するとともに保持部１４が係合するように構成されている。
【０１１９】
ハウジング３４は、ハウジング３４の幅方向に沿って延びる上面３４ａ及び下面３４ｂを有している。ハウジング３４は、基板１０１に設置されて接続された状態では、ハウジング３４の上面３４ａが基板１０１側と反対側に配置され、ハウジング３４の下面３４ｂが基板１０１の表面に対向した状態で配置される。尚、ハウジング３４の上面３４ａ及び下面３４ｂは、ハウジング３４の厚み方向における両端面として構成される。ハウジング３４の厚み方向については、図２８（Ａ）及び図２８（Ｂ）にて、両端矢印Ｘ１２で示している。尚、ハウジング３４の厚み方向は、第２コネクタ１２の厚み方向と同じ方向となる。また、第２コネクタ１２と第１コネクタ１１とが接続された状態では、第２コネクタ１２の厚み方向は、第１コネクタ１１の厚み方向と同じ方向となる。
【０１２０】
ハウジング３４には、案内溝３８を含む接続口３７、ロック凸部３９、先端露出部４０、等が設けられている。
【０１２１】
接続口３７は、導電部材装着部１３が嵌合して接続される開口として設けられている。接続口３７は、ハウジング３４において、複数設けられており、本実施形態では、第１コネクタ１１の導電部材装着部１３に対応して、２つ設けられている。各接続口３７は、ハウジング３４において、ハウジング３４の幅方向に延びる開口形状に形成されている。そして、２つの接続口３７は、ハウジング３４において、ハウジング３４の厚み方向に並んで設けられている。
【０１２２】
また、各接続口３７は、ハウジング３４において、ハウジング３４の接続方向における一方の端部であって導電部材装着部１３が接続される側の端部にて開口している。尚、ハウジング３４の接続方向は、ハウジング３４の幅方向及び厚み方向に垂直な方向である。そして、ハウジング３４の接続方向は、ハウジング３４に対して導電部材装着部１３が嵌合する方向と平行な方向であって、第１コネクタ１１が第２コネクタ１２に対して接続される方向と平行な方向として構成される。尚、図２８（Ａ）及び図２８（Ｃ）において、ハウジング３４の接続方向を両端矢印Ｘ１３で示している。
【０１２３】
また、接続口３７の内側においては、ハウジング３４の幅方向に並んだ複数の端子３５の導体接続部３５ｂが、露出している。導電部材装着部１３は、開口部２３が設けられた先端側において、接続口３７に対して嵌合して接続される。導電部材装着部１３が接続口３７に嵌合すると、開口部２３から露出した複数の導体１０２のそれぞれが、接続口３７の内側で露出した複数の端子３５の導体接続部３５ｂのそれぞれに対して接触する。これにより、各導体１０２と各端子３５とが電気的に接続される。
【０１２４】
案内溝３８は、各接続口３７において一対で設けられており、各接続口３７における幅方向の両端側の部分として設けられている。案内溝３８は、ハウジング３４に導電部材装着部１３が嵌合する際に導電部材装着部１３の突出部１７がハウジング３４へ嵌め込まれる方向を案内する溝として構成されている。即ち、ハウジング３４に導電部材装着部１３が嵌合する際、突出部１７は案内溝３８に沿って案内されて案内溝３８に嵌め込まれる。
【０１２５】
ロック凸部３９は、導電部材装着部１３が接続口３７に嵌合するように第１コネクタ１１が第２コネクタ１２に接続された際に、保持部１４のロックアーム部２５の係合爪部２５ａと係合する部分として設けられている。ロック凸部３９は、ハウジング３４において一対で設けられ、ハウジング３４の幅方向の両端部にそれぞれ設けられている。
【０１２６】
一対のロック凸部３９のそれぞれは、保持部１４の幅方向の両側のそれぞれに設けられたロックアーム部２５の係合爪部２５ａに係合するように、ハウジング３４の外側で凸状に張り出した部分として設けられている。導電部材装着部１３がハウジング３４に嵌合して第１コネクタ１１が第２コネクタ１２に接続される際には、まず、保持部１４の幅方向両側において片持ち状に設けられた各ロックアーム部２５がロック凸部３９に当接して一旦撓む。そして、導電部材装着部１３の先端部が接続口３７の奥側に挿入されて嵌め込まれると、撓んでいたロックアーム部２５が弾性回復し、片持ち状のロックアーム部２５の端部のロック爪部２５ａが、ロック凸部３９に係合する。これにより、導電部材装着部１３がハウジング３４に嵌合した状態で保持部１４がハウジング３４に対してロックアーム部２５にて係合し、第１コネクタ１１が第２コネクタ１２に対してロックされて保持される。この結果、第１コネクタ１１が第２コネクタ１２から抜けて脱落してしまうことが防止される。
【０１２７】
先端露出部４０は、一対で設けられ、ハウジング３４の幅方向の両端側にそれぞれ設けられている。また、先端露出部４０は、ハウジング３４において、ハウジング３４の接続方向における接続口３７とは反対側の端部側に設けられている。そして、各先端露出部４０は、ハウジング３４における幅方向の両端側で且つ接続口３７と反対側でハウジング３４の内側に向かって凹むように形成された切欠き状の部分として構成されている。更に、各先端露出部４０には、案内溝３８に連通する開口が設けられている。これにより、ハウジング３４においては、導電部材装着部１３が嵌合して突出部１７が案内溝３８に嵌め込まれると、突出部１７の端部が先端露出部４０から外部に露出するように構成されている。
【０１２８】
上記の構成により、ハウジング３４において切欠き状の部分として設けられた先端露出部４０は、導電部材装着部１３が嵌合して導電部材１００における複数の導体１０２に複数の端子３５が電気的に接続された状態で、導電部材装着部１３の先端部分の一部を外部に露出させるように、構成されている。尚、本実施形態では、前述の通り、導電部材装着部１３の先端部分の一部としての突出部１７の端部を外部に露出させる形態の先端露出部４０を例示している。
【０１２９】
［第１コネクタと第２コネクタとの接続］
次に、第１コネクタ１１と第２コネクタ１２との接続に関する構成について更に詳しく説明する。図２９は、第１コネクタ１１が第２コネクタ１２に接続される前の状態における電気的接続装置１を示す斜視図であって、導電部材１００の一部とともに示す図である。図３０は、第１コネクタ１１が第２コネクタ１２に接続される途中の状態における電気的接続装置１を導電部材１００の一部とともに示す図であって、図３０（Ａ）は斜視図であり、図３０（Ｂ）は平面図である。図３１は、第１コネクタ１１が第２コネクタ１２に接続された状態における電気的接続装置１を導電部材１００の一部とともに示す図であって、図３０（Ａ）は平面図であり、図３１（Ｂ）は図３１（Ａ）の一部を拡大して示す図である。
【０１３０】
尚、図２９乃至図３１においては、第２コネクタ１２が接続される基板１０１の図示を省略している。また、図２９乃至図３１においては、１つの導電部材１００が接続された第１コネクタ１１と第２コネクタ１２とが接続される形態を例示している。そして、図２９乃至図３１では、第１コネクタ１１において、保持部１４に対して、導電部材１００が装着された導電部材装着部１３と、導電部材１００が装着されていない導電部材装着部１３とが、嵌合して嵌め込まれた状態を例示している。
【０１３１】
図２９に示すように、第１コネクタ１１と第２コネクタ１２とが接続される際には、まず、第２コネクタ１２の接続口３７に対して第１コネクタ１１の導電部材装着部１３の先端側が対向した状態から、接続動作が開始される。このとき、導電部材装着部１３の上面部１５及び保持部１４の本体部２４の上面２４ａと、ハウジング３４の上面３４ａとが対応し、導電部材装着部１３の下面部１６及び保持部１４の本体部２４の下面２４ｂと、ハウジング３４の下面３４ｂとが対応した状態で、第１コネクタ１１及び第２コネクタ１２の接続動作が開始される。
【０１３２】
第１コネクタ１１及び第２コネクタ１２の接続動作が開始されると、まず、図３０に示すように、第１コネクタ１１の導電部材装着部１３の各突出部１７が、第２コネクタ１２のハウジング３４の接続口３７における各案内溝３８に挿入される。このとき、第１コネクタ１１の本体部２４の上面２４ａ側の嵌合孔２７に嵌合した導電部材装着部１３における一対の突出部１７が、第２コネクタ１２のハウジング３４の上面３４ａ側の接続口３７における一対の案内溝３８に挿入される。そして、第１コネクタ１１の本体部２４の下面２４ｂ側の嵌合孔２７に嵌合した導電部材装着部１３における一対の突出部１７が、第２コネクタ１２のハウジング３４の下面３４ｂ側の接続口３７における一対の案内溝３８に挿入される。上記のように各案内溝３８に挿入された各突出部１７は、各案内溝３８に沿って案内されながら更に奥側に挿入され、各案内溝３８に嵌め込まれる。
【０１３３】
各突出部１７が各案内溝３８の奥側まで嵌め込まれると、導電部材装着部１３における開口部２３が設けられた部分が、ハウジング３４の接続口３７に嵌合するように嵌め込まれる。そして、図３１に示すように、第１コネクタ１１が第２コネクタ１２に接続された状態では、保持部１４の端部がハウジング３４の端部に当接するまで、各導電部材装着部１３がハウジング３４の各接続口３７に嵌め込まれた状態となる。即ち、第１コネクタ１１が第２コネクタ１２に接続された状態では、本体部２４における導電部材装着部１３が嵌合している嵌合孔２７側の端部がハウジング３４における接続口３７が開口している側の端部に当接した状態となる。また、第１コネクタ１１が第２コネクタ１２に接続された状態では、導電部材装着部１３における開口部２３が設けられた部分は、ハウジング３４の接続口３７の内部に全て嵌め込まれた状態となる。
【０１３４】
上記のように第１コネクタ１１と第２コネクタ１２とが接続されると、接続口３７の内側において、複数の端子３５に対して導電部材１００の複数の導体１０２が接触し、各端子３５と各導体１０２とが電気的に接続された状態となる。
【０１３５】
更に、第１コネクタ１１と第２コネクタ１２とが接続された状態では、保持部１４の一対のロックアーム部２５が、ハウジング３４の一対のロック凸部３９に対して、各係合爪部２５ａにおいて、係合した状態となる。これにより、保持部１４の嵌合孔２７に嵌合した導電部材装着部１３が更にハウジング３４の接続口３７に嵌合した状態で、保持部１４が、ロックアーム部２５にてハウジング３４に係合する。この結果、第１コネクタ１１が第２コネクタ１２に対してロックされて保持される。また、第１コネクタ１１と第２コネクタ１２とが接続された状態では、ハウジング３４の先端露出部４０において、導電部材装着部１３の突出部１７の端部が外部に露出した状態となる。
【０１３６】
ここで、図３２を参照しつつ、第１コネクタ１１が第２コネクタ１２に接続される際に上下方向が逆の状態で接続されてしまうことを防止する構成について説明する。図３２は、電気的接続装置１の第１コネクタ１１及び第２コネクタ１２を並べて示す図であって、図３２（Ａ）は第２コネクタ１２の斜視図であり、図３２（Ｂ）は第１コネクタ１１を導電部材１００の一部とともに示す斜視図である。
【０１３７】
第１コネクタ１１の導電部材装着部１３においては、下面部１６側の先端側において開口部２３が設けられている。一方、導電部材装着部１３の上面部１５側の先端側には、開口部２３が設けられておらず、上面部１５は、下面部１６よりも、先端側に長く延びるように構成されている。これにより、各突出部１７は、下面部１６に対する突出部１７の突出長さが上面部１５に対する突出長さよりも長くなるように構成されている。このため、導電部材装着部１３においては、上面部１５及び下面部１６に対する突出部１７の位置が、突出部１７の突出方向において、非対称な状態で設定されている。
【０１３８】
第２コネクタ１２のハウジング３４においては、導電部材装着部１３の先端側が嵌合する接続口３７が設けられている。接続口３７の幅方向の両端側の部分には、案内溝３８がそれぞれ設けられている。また、ハウジング３４において幅方向に延びる接続口３７の案内溝３８以外の部分においては、端子３５において導電部材１００の端部１００ａを厚み方向に挟み込む部分として設けられた一対の把持部が嵌め込まれる溝が複数設けられている。上記の一対の把持部が嵌め込まれる溝は、ハウジング３４の幅方向に延びる接続口３７に対して上面３４ａ側及び下面３４ｂ側に凹む溝として設けられている。
【０１３９】
各案内溝３８は、ハウジング３４の幅方向に延びる接続口３７における案内溝３８以外の部分に対して、下面３４ｂ側に偏った位置に設けられている。これにより、ハウジング３４においては、導電部材装着部１３の上面部１５及び下面部１６に対する位置が非対称な状態に設定された突出部１７に対応した案内溝３８が設けられている。そして、ハウジング３４においては、端子３５の一対の把持部が嵌め込まれる上記の溝のうち、一対の把持部のうちの下面３４ｂ側に配置される導体接続部３５ｂが嵌め込まれる溝、を区画する下面側当接部４１が設けられている。下面側当接部４１は、接続口３７の下面３４ａ側においてハウジング３４の幅方向に沿って複数並んで設けられている。
【０１４０】
導電部材装着部１３の上面部１５とハウジング３４の上面３４ａとが対応し、導電部材装着部１３の下面部１６とハウジング３４の下面３４ｂとが対応した状態が、上下方向が正しく適切な状態となる。上下方向が正しく適切な状態で導電部材装着部１３の先端側が接続口３７に嵌合すると、各突出部１７が各案内溝３８に嵌め込まれ、導電部材装着部１３の上面部１５が、接続口３７の上面３４ａ側に摺動しながら挿入されることになる。
【０１４１】
一方、導電部材装着部１３及びハウジング３４の上下方向の対応が上記とは逆の状態の場合は、上下方向が誤っており不適切な状態となる。即ち、導電部材装着部１３の上面部１５とハウジング３４の下面３４ｂとが対応し、導電部材装着部１３の下面部１６とハウジング３４の下面３４ａとが対応した状態は、上下方向が誤っており不適切な状態となる。上下方向が誤っており不適切な状態で導電部材装着部１３の先端側が接続口３７に嵌合すると、各突出部１７は各案内溝３８に嵌め込まれるように挿入されるが、導電部材装着部１３の上面部１５の先端側の端部が、複数の下面側当接部４１に当接することになる。このため、第１コネクタ１１と第２コネクタ１２との接続作業を行う作業者が導電部材装着部１３をハウジング３４に対して上下方向が逆の状態で挿入しようとすると、挿入することができず、導電部材装着部１３をハウジング３４に嵌合させることができない。このため、電気的接続装置１においては、上下方向が逆の状態で第１コネクタ１１が第２コネクタ１２に接続されてしまうことが防止されることになる。
【０１４２】
［本実施形態の作用効果］
本実施形態によると、挿通孔２６に挿通された導電部材１００の端部１００ａが導電部材装着部１３に装着される。そして、その状態で導電部材装着部１３が保持部１４に嵌め込まれ、導電部材１００の係合部１０６が保持部１４の被係合部３０に係合した状態で、導電部材装着部１３の閉塞部２０によって、保持部１４の挿通孔２６の一部が塞がれる。このため、コネクタ１１（第１コネクタ１１）に接続された導電部材１００は、コネクタ１１の保持部１４に係合した状態で保持されることに加え、更に、保持部１４の挿通孔２６の一部が導電部材装着部１３で塞がれていることで、挿通孔２６から抜けてコネクタ１１から外れてしまうことも防止される。これにより、コネクタ１１は、接続された導電部材１００を、強固に保持することができる。
【０１４３】
従って、本実施形態によると、複数の導体１０２を有するフレキシブルケーブル又はフレキシブル基板として構成される導電部材１００が外れてしまうことを防止し、導電部材１００を強固に保持することができるコネクタ１１を提供することができる。更に、本実施形態によると、そのコネクタ１１を備える電気的接続装置１を提供することができる。
【０１４４】
また、本実施形態によると、上述の通り、導電部材１００が外れてしまうことを防止し、導電部材１００を強固に保持することができる。そして、複数の導体１０２が密集して配置された導電部材１００がコネクタ１１に接続されるため、構造のコンパクト化及び簡素化を図ることもできる。よって、本実施形態によると、構造のコンパクト化及び簡素化を図ることができ、導電部材１００が外れてしまうことを防止し、導電部材１００を強固に保持することができ、コネクタ１１に対して振動等の負荷が加わり易いようなより苛酷な環境下においても安定して使用することができる。
【０１４５】
また、本実施形態によると、導電部材装着部１３の筒状部１８によって区画された挿入口１９に導電部材１００の端部１００ａが挿入されることで、導電部材１００の端部１００ａが導電部材装着部１３に装着される。このため、導電部材１００の端部１００ａが導電部材装着部１３に装着された状態では、導電部材１００の端部１００ａは、導電部材１００の長手方向における所定の領域が、導電部材装着部１３の筒状部１８によって周囲を環状に覆われて囲い込まれることになる。これにより、導電部材１００が幅方向に撓んでしまうことが防止されることになる。また、導電部材１００の幅方向の撓みが防止されることで、導電部材１００をコネクタ１１に接続する作業が容易となり、作業性を向上させることができる。更に、導電部材１００が接続されたコネクタ１１を相手側の第２コネクタ１２に対して嵌合により接続する際に、導電部材１００の幅方向の撓みが防止されることで、導電部材１００の導体１０２と第２コネクタ１２の端子３５との間における電気的接触不良が生じるような嵌合不具合の発生を防止することができる。
【０１４６】
また、本実施形態によると、閉塞部２０が挿通孔１０６に嵌まり込んで挿通孔２６の一部をより強固に塞ぐため、導電部材１００が外れてしまうことをより確実に防止し、導電部材１００をより強固に保持することができる。
【０１４７】
また、本実施形態によると、閉塞部２０が少なくとも係合部通過領域２８ａを塞ぐように挿通孔２６の一部を塞ぐため、導電部材１００の係合部１０６が保持部１４の被係合部３０から外れて挿通孔２６を通過してしまうことがより確実に防止される。これにより、導電部材１００をより強固に保持することができる。
【０１４８】
また、本実施形態によると、閉塞部２０が導電部材通過領域２８を塞ぐように挿通孔２６の一部を塞ぐため、導電部材１００が外れてしまうことをより確実に防止し、導電部材１００をより強固に保持することができる。
【０１４９】
また、本実施形態によると、導電部材装着部１３の幅方向中央部分において、撓み規制部２１によって、導電部材１００の端部１００ａが表裏面方向に挟み込まれ、導電部材１００の端部１００ａの撓み変形が生じることが規制される。このため、導電部材１００が幅方向に撓んでしまうことが防止されることになる。また、導電部材１００の幅方向の撓みが防止されることで、導電部材１００をコネクタ１１に接続する作業が容易となり、作業性を向上させることができる。更に、導電部材１００が接続されたコネクタ１１を相手側の第２コネクタ１２に対して嵌合により接続する際に、導電部材１００の幅方向の撓みが防止されることで、導電部材１００の導体１０２と第２コネクタ１２の端子３５との間における電気的接触不良が生じるような嵌合不具合の発生を防止することができる。
【０１５０】
また、本実施形態によると、第１コネクタ１１を第２コネクタ１２に接続する作業を行った作業者は、ハウジング３４の先端露出部４０から導電部材装着部１３の先端部分の一部が露出しているか否かを目視で確認することができる。これにより、作業者は、第１コネクタ１１と第２コネクタ１２とが、複数の端子３５と複数の導体１０２とが電気的に接続された状態で適切に接続されているか否かを容易に確認することができる。そして、本実施形態によると、第１コネクタ１１と第２コネクタ１２とが適切に接続されているか否かを作業者が容易に確認することができる構造を、ハウジング３４に切欠き状の部分を設けた簡素な構造で実現することができる。
【０１５１】
また、本実施形態によると、導電部材装着部１３をハウジング３４に嵌合させて第１コネクタ１１を第２コネクタ１２に接続する作業が行われる際には、導電部材装着部１３の幅方向両端部で先端側に突出した突出部１７がハウジング３４の案内溝３８に案内される。このため、導電部材装着部１３をハウジング３４に誘い込むようにして、導電部材装着部１３をハウジング３４に容易に嵌合させることができ、更に、導電部材装着部１３とハウジング３４との間でこじりが生じてしまうことを防止することができる。
【０１５２】
また、本実施形態によると、上面部１５及び下面部１６の一方に対する突出部１７の突出長さが他方に対する突出長さよりも長くなるように構成されている。即ち、電気的接続装置１は、突出部１７が上面部１５及び下面部１６の一方から突出している長さが、突出部１７が上面部１５及び下面部１６の他方から突出している長さよりも長くなるように、構成されている。このため、上面部１５及び下面部１６に対する突出部１７の位置が、突出部１７の突出方向において、非対称な状態で設定されることになる。そして、ハウジング３４においては、導電部材装着部１３の上面部１５及び下面部１６に対する位置が非対称な状態に設定された突出部１７に対応した案内溝３８が設けられる。このため、作業者が導電部材装着部１３をハウジング３４に対して上下方向が逆の状態で挿入しようとすると、挿入することができず、導電部材装着部１３をハウジング３４に嵌合させることができない。これにより、本実施形態によると、上下方向が逆の状態で第１コネクタ１１が第２コネクタ１２に接続されてしまうことを防止することができる。
【０１５３】
［変形例］
以上、本発明の一実施の形態について説明したが、本発明は上述の実施の形態に限られるものではなく、特許請求の範囲に記載した限りにおいて様々な変更が可能なものである。例えば、次のように変更して実施してもよい。
【０１５４】
（１）図３３は、第１の変形例に係るコネクタ５１を導電部材１００の一部とともに示す斜視図である。図３４は、第１の変形例のコネクタ５１における導電部材装着部５２を導電部材１００の一部とともに示す斜視図であって、図３４（Ａ）は下面部１６側から見た状態を示す斜視図であり、図３４（Ｂ）は上面部１５側から見た状態を示す斜視図である。
【０１５５】
第１の変形例に係るコネクタ５１は、前述の実施形態のコネクタ１１と同様に構成されているが、導電部材装着部５２の閉塞部５３の構成において、前述のコネクタ１１とは異なっている。以下、第１の変形例に係るコネクタ５１について、前述の実施形態のコネクタ１１と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１５６】
図３３及び図３４に示すコネクタ５１の導電部材装着部５２は、前述の実施形態の導電部材装着部１３と同様に構成されているが、閉塞部５３の構成において、前述の実施形態の導電部材装着部１３と異なっている。閉塞部５３は、保持部１４の挿通孔２６に挿通された導電部材１００の端部１００ａが装着された状態の導電部材装着部１３が保持部１４に嵌め込まれた際に、導電部材１００の係合部１０６が被係合部３０に係合した状態で、挿通孔２６における一部の領域であって導電部材通過領域２８における係合部通過領域２８ａ以外の領域のみを塞ぐように構成されている。即ち、前述の実施形態の閉塞部２０が、係合部通過領域２８ａを含む導電部材通過領域２８の全体の領域を塞ぐように構成されているのに対し、閉塞部５３は、導電部材通過領域２８における係合部通過領域２８ａを除く領域を塞ぐように構成されている。
【０１５７】
尚、図３３及び図３４においては、導電部材通過領域２８における係合部通過領域２８ａ以外の領域の全体を塞ぐ閉塞部５３の形態を例示しているが、この通りでなくてもよい。導電部材通過領域２８における係合部通過領域２８ａ以外の領域の一部を塞ぐ閉塞部の形態が実施されてもよい。
【０１５８】
また、第１の変形例のコネクタ５１として構成される第１コネクタ５１と、前述の実施形態の第２コネクタ１２と、を備えた形態の電気的接続装置が、実施されてもよい。
【０１５９】
本変形例によると、閉塞部５３が、導電部材通過領域２８における係合部通過領域２８ａ以外の領域を塞ぐように挿通孔２６の一部を塞ぐため、導電部材１００の係合部１０６が保持部１４の被係合部３０から外れて挿通孔２６を通過してしまうことがより確実に防止される。これにより、導電部材１００をより強固に保持することができる。
【０１６０】
（２）図３５は、第２の変形例に係るコネクタ５４を導電部材１００の一部とともに示す斜視図である。図３６は、第２の変形例のコネクタ５４における導電部材装着部５５を導電部材１００の一部とともに示す斜視図であって、図３６（Ａ）は下面部１６側から見た状態を示す斜視図であり、図３６（Ｂ）は上面部１５側から見た状態を示す斜視図である。
【０１６１】
第２の変形例に係るコネクタ５４は、前述の実施形態のコネクタ１１と同様に構成されているが、導電部材装着部５５の閉塞部５６の構成において、前述のコネクタ１１とは異なっている。以下、第２の変形例に係るコネクタ５４について、前述の実施形態のコネクタ１１と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１６２】
図３５及び図３６に示すコネクタ５４の導電部材装着部５５は、前述の実施形態の導電部材装着部１３と同様に構成されているが、閉塞部５６の構成において、前述の実施形態の導電部材装着部１３と異なっている。閉塞部５６は、保持部１４の挿通孔２６に挿通された導電部材１００の端部１００ａが装着された状態の導電部材装着部１３が保持部１４に嵌め込まれた際に、導電部材１００の係合部１０６が被係合部３０に係合した状態で、挿通孔２６における一部の領域であって導電部材通過領域２８における係合部通過領域２８ａのみを塞ぐように構成されている。即ち、前述の実施形態の閉塞部２０が、係合部通過領域２８ａを含む導電部材通過領域２８の全体の領域を塞ぐように構成されているのに対し、閉塞部５３は、導電部材通過領域２８における係合部通過領域２８ａのみを塞ぐように構成されている。
【０１６３】
また、第２の変形例のコネクタ５４として構成される第１コネクタ５４と、前述の実施形態の第２コネクタ１２と、を備えた形態の電気的接続装置が、実施されてもよい。
【０１６４】
本変形例によると、閉塞部５６が、導電部材通過領域２８における係合部通過領域２８ａを塞ぐように挿通孔２６の一部を塞ぐため、導電部材１００の係合部１０６が保持部１４の被係合部３０から外れて挿通孔２６を通過してしまうことがより確実に防止される。これにより、導電部材１００をより強固に保持することができる。
【０１６５】
（３）図３７は、第３の変形例に係るコネクタ５７の分解斜視図であって、導電部材１００の一部とともに示す図である。図３８は、第３の変形例のコネクタ５７を導電部材１００の一部とともに示す斜視図であって、図３８（Ａ）は導電部材装着部５８が保持部５９に嵌合する前の状態を示す斜視図であり、図３８（Ｂ）は導電部材装着部５８が保持部５９に嵌合した状態を示す斜視図である。
【０１６６】
第３の変形例に係るコネクタ５７は、前述の実施形態のコネクタ１１と同様に構成されているが、２つの導電部材１００の端部１００ａが装着された１つの導電部材装着部５８が１つの保持部５９に対して嵌合するように構成されている点において、前述のコネクタ１１とは異なっている。以下、第３の変形例に係るコネクタ５７について、前述の実施形態のコネクタ１１と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１６７】
図３７及び図３８に示すコネクタ５７は、導電部材装着部５８と保持部５９とを備えて構成されている。導電部材装着部５８は、２つの導電部材１００の端部１００ａが装着されるように構成されている点において、前述の実施形態の導電部材装着部１３と異なっている。導電部材装着部５８には、閉塞部２０が２つ設けられている。そして、導電部材装着部５８には、その幅方向の両側のそれぞれにおいて、２つの閉塞部２０の間に、係合突起部２２が設けられている。
【０１６８】
また、導電部材装着部５８には、その厚み方向の両側のそれぞれにおいて、２つの開口部２３が設けられている。導電部材装着部５８の厚み方向の両側のそれぞれに設けられた２つの開口部２３は、撓み規制部２１を挟んで導電部材装着部５８の幅方向に並んで設けられている。
【０１６９】
また、導電部材装着部５８に対しては、２つの導電部材１００が、導体露出部１０５が設けられていない側の面が互いに対向した状態で、装着される。よって、導電部材装着部５８に２つの導電部材１００が装着されると、各導電部材１００の導体露出部１０５は、導電部材装着部５８の厚み方向における両側で導電部材装着部５８の外側に向かって露出した状態となる。
【０１７０】
保持部５９は、本体部６０、ロックアーム部２５、等を備えて構成されている。本体部６０は、前述の実施形態の保持部１４の本体部２４とは異なり、嵌合孔６１が１つのみ設けられている。１つの嵌合孔６１は、本体部６０に設けられた２つの挿通孔２６のいずれとも連通するように構成されている。尚、図３７及び図３８では図面に表れていないが、２つの挿通孔２６は、本体部６０において嵌合孔６１が開口する側と反対側にて開口するように設けられている。本体部６０に設けられた２つの挿通孔２６は、保持部５９の厚み方向における向きが、前述の実施形態の本体部２４に設けられた２つの挿通孔２６とは異なり、互いに逆の状態で、本体部６０において保持部５９の厚み方向に並んで設けられている。
【０１７１】
嵌合孔６１は、２つの挿通孔２６のそれぞれに挿通された導電部材１００の端部１００ａが装着された状態の導電部材装着部５８が嵌合して嵌め込まれるように構成されている。２つの導電部材１００が装着された導電部材装着部５８が保持部５９に嵌合する際には、導電部材装着部５８は、２つの閉塞部２０が設けられた端部において、嵌合孔６１に挿入される（図３８（Ａ）を参照）。そして、図３８（Ｂ）に示すように導電部材装着部５８が嵌合孔６１に嵌合した状態では、保持部５９の各挿通孔２６において各導電部材１００が導電部材配置領域２９に配置され、各閉塞部２０が保持部５９の各挿通孔２６における導電部材通過領域２８を塞ぐことになる。
【０１７２】
第３の変形例に係るコネクタ５９のように、２つの導電部材１００の端部１００ａが装着された１つの導電部材装着部５８が１つの保持部５９に対して嵌合するように構成された形態が実施されてもよい。また、第３の変形例のコネクタ５９として構成される第１コネクタ５９と、第２コネクタ５９が接続される第２コネクタと、を備えた形態の電気的接続装置が、実施されてもよい。尚、この電気的接続装置の場合、第２コネクタは、導電部材装着部５８に装着された導電部材１００における複数の導体１０２に対してそれぞれ電気的に接続されるように構成された複数の端子と、複数の端子を保持し、導電部材装着部５８が嵌合するとともに保持部５９が係合するように構成されたハウジングと、を備えて構成される。
【０１７３】
（４）図３９は、第４の変形例に係るコネクタ６２を導電部材の一部とともに示す図であって、図３９（Ａ）は斜視図であり、図３９（Ｂ）は側面図である。尚、図３９（Ａ）は、保持部１４の下面２４ｂ側から視た斜視図であり、図３９（Ｂ）は、保持部１４の上面２４ａ側を上にして示す側面図である。図４０は、コネクタ６２について、図３９（Ｂ）のＸ１４−Ｘ１４線矢視方向から見た断面図である。尚、図３９及び図４０は、導電部材装着部１３の保持部１４への嵌合が完了した状態を示す図である。
【０１７４】
図４１は、コネクタ６２を導電部材１００の一部とともに示す斜視図であって、コネクタ６２に導電部材１００が接続される前の状態を示す図である。図４２は、コネクタ６２を導電部材１００の一部とともに示す断面図であって、図４１に示す状態における図３９（Ｂ）のＸ１４−Ｘ１４線矢視位置に対応する断面を示す図である。図４３は、コネクタ６２を導電部材１００の一部とともに示す図であって、図４３（Ａ）はコネクタ６２に導電部材１００が接続される途中の状態を示す斜視図であり、図４３（Ｂ）は図４３（Ａ）に示す状態における断面図であって図３９（Ｂ）のＸ１４−Ｘ１４線矢視位置に対応する断面を示す図である。
【０１７５】
第４の変形例に係るコネクタ６２は、前述の実施形態のコネクタ１１と同様に構成されているが、導電部材装着部１３が、導電部材１００の端部１００ａが装着される前の状態においても、保持部１４に対して保持されるように構成されている点において、前述のコネクタ１１とは異なっている。以下、第４の変形例に係るコネクタ６２について、前述の実施形態のコネクタ１１と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１７６】
図３９乃至図４３に示すコネクタ６２は、２つの導電部材装着部１３と保持部１４とを備えて構成されている。しかし、コネクタ６２の保持部１４は、導電部材１００の端部１００ａが導電部材装着部１３に装着される前の状態においても、導電部材装着部１３を保持可能に構成されている点において、前述のコネクタ１１の保持部１４とは異なっている。
【０１７７】
より具体的には、コネクタ６２の保持部１４においては、導電部材１００の装着前の状態でも導電部材装着部１３を保持可能にするための一対の保持用凹部６３が設けられている（図４０、図４２、図４３（Ｂ）を参照）。一対の保持用凹部６３は、保持部１４の内側に設けられている。そして、一対の保持用凹部６３は、保持部１４の内側において、各嵌合孔２７の奥側の位置であって係合凸部３１よりも嵌合孔２７の開口側の位置に設けられている。
【０１７８】
また、一対の保持用凹部６３は、保持部１４の内側において、各嵌合孔２７に対応して、設けられている。そして、一対の保持用凹部６３のそれぞれは、保持部１４の内側における各嵌合孔２７に対応した位置において、保持部１４の幅方向の両側のそれぞれで凹み形成された部分として設けられている。各保持用凹部６３は、導電部材装着部１３の各係合突起部２２の突起２２ａが嵌まり込んで係止する部分として設けられている。
【０１７９】
コネクタ６２に導電部材１００が接続される際には、図４１及び図４２に示すように、まず、導電部材装着部１３が保持部１４に係止された状態から、コネクタ６２と導電部材１００との接続が開始される。このとき、導電部材装着部１３は、各係合突起部２２の突起２２ａが、保持部１４の内側の各保持用凹部６３に嵌まり込んだ状態で、保持部１４に保持されている。
【０１８０】
尚、コネクタ６２は、導電部材装着部１３と保持部１４とが分離した状態から、図４１及び図４２に示すように保持部１４に導電部材装着部１３が保持された状態となるように、構成されている。導電部材装着部１３を保持部１４に保持させる際には、導電部材１００が保持部１４の挿通孔２６に挿通されておらず、且つ、導電部材１００が導電部材装着部１３に装着されていない状態で、導電部材装着部１３が保持部１４の嵌合孔２７に挿入される。
【０１８１】
導電部材装着部１３は、閉塞部２０、係合突起部２２、及び当接部３３が設けられた端部から、保持部１４の嵌合孔２７に挿入される。そして、導電部材装着部１３の端部が嵌合孔２７に挿入されると、一対の係合突起部２２の突起２２ａが、嵌合孔２７の両端部のそれぞれと当接し、各係合突起部２２が導電部材装着部１３の幅方向の内側に向かって一旦撓む。そして、導電部材装着部１３の端部が嵌合孔２７に対して更に挿入されると、各係合突起部２２が弾性回復し、各突起２２ａが保持部１４の内側の各保持用凹部６３に嵌まり込んだ状態となる。これにより、図４１及び図４２に示すように導電部材装着部１３が保持部１４に保持された状態となる。
【０１８２】
図４１及び図４２に示す状態から、導電部材１００のコネクタ６２への接続動作が開始される。導電部材１００のコネクタ６２への接続動作が開始されると、導電部材１００の端部１００ａが保持部１４の挿通孔２６に挿通される。このとき、導電部材１００の端部１００ａは、挿通孔２６に対して、導電部材通過領域２８を通過して、挿通される。そして、挿通孔２６に挿通された導電部材１００の端部１００ａは、保持部１４に保持された導電部材装着部１３の挿入口１９に挿入される。これにより、図４３に示すように、保持部１４に保持された導電部材装着部１３に対して導電部材１００の端部１００ａが装着される。
【０１８３】
図４３に示す状態となると、次いで、導電部材１００の端部１００ａが装着された状態の導電部材装着部１３が保持部１４の嵌合孔２７に嵌合して嵌め込まれる。このとき、導電部材装着部１３は、その一部が既に嵌合孔２７に挿入されているため、更に嵌合孔２７の奥側に挿入され、嵌合孔２７に嵌め込まれる。また、このとき、導電部材１００が、挿通孔２６において導電部材通過領域２８から導電部材配置領域２９にずれるように変位させられた状態で、導電部材装着部１３が、嵌合孔２７の奥側に更に嵌め込まれる。即ち、導電部材１００が装着された導電部材装着部１３が保持部１４に嵌め込まれる際には、導電部材１００が挿通孔２６における導電部材配置領域２９を通過するように、導電部材１３が保持部１４の嵌合孔２７に嵌め込まれる。
【０１８４】
図３９及び図４０に示すように、導電部材装着部１３の保持部１４への嵌合が完了した嵌合完了状態になると、導電部材１００は、挿通孔２６において、導電部材配置領域２９に配置される。また、嵌合完了状態では、導電部材１００の一対の係合部１０６は、保持部１４の一対の被係合部３０に対して係合した状態となる。また、嵌合完了状態では、導電部材装着部１３の閉塞部２０は、保持部１４の挿通孔２６に嵌まり込んだ状態で挿通孔２６の一部である導電部材通過領域２８を塞ぐ。また、嵌合完了状態では、導電部材装着部１３の一対の係合突起部２２は、保持部１４の内側において、保持部１４の一対の係合凸部３１に対して、各突起２２ａにおいて、係合した状態となる。また、嵌合完了状態では、導電部材装着部１３の当接部３３は、保持部１４の内側において、保持部１４の位置決め壁部３２に対して当接する。
【０１８５】
第４の変形例に係るコネクタ６２のように、導電部材装着部１３が保持部１４に保持された状態で、導電部材１００が保持部１４に挿通されて導電部材装着部１３に装着され、その後に、導電部材装着部１３が保持部１４に嵌合するように構成された形態が、実施されてもよい。この構成によると、導電部材１００の端部１００ａが装着される前の状態においても、導電部材装着部１３を保持部１４に対して保持することができる。このため、導電部材１００が接続される前の状態において、対応する導電部材装着部１３と保持部１４とが分散してしまうことを防止でき、管理が容易となる。
【０１８６】
尚、第４の変形例のコネクタ６２として構成される第１コネクタ６２と、前述の実施形態の第２コネクタ１２と、を備えた形態の電気的接続装置が、実施されてもよい。また、導電部材装着部１３と保持部１４とが、細長く可撓性を有するひも状の連結部を介して一体に設けられた形態のコネクタが実施されてもよい。
【０１８７】
（５）図４４は、第５の変形例に係るコネクタの導電部材装着部６４を導電部材１０７の一部とともに示す図であって、図４４（Ａ）は導電部材装着部６４の断面を含む斜視図であり、図４４（Ｂ）は導電部材装着部６４の断面を含む平面図である。
【０１８８】
第５の変形例の導電部材装着部６４は、前述の実施形態のコネクタ１１の導電部材装着部１３と同様に構成されているが、導電部材装着部６４に装着された導電部材１０７の端部１０７ａを保持する保持機構が設けられている点において、前述の実施形態の導電部材装着部１３とは異なっている。以下、第５の変形例の導電部材装着部６４について、前述の実施形態の導電部材装着部１３と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１８９】
図４４に示す導電部材装着部６４は、筒状部１８で区画されて導電部材１０７の端部１０７ａが挿入される挿入口６５の構成において、前述の導電部材装着部１３と異なっている。挿入口６５は、前述の導電部材装着部１３の挿入口１９とは異なり、導電部材装着部６４の先端側にかけて僅かだけ徐々に窄まるように構成されている。より具体的には、挿入口６５は、導電部材装着部６４の先端側にかけて、導電部材装着部６４の幅方向の寸法が僅かだけ徐々に狭まることで、窄まるように構成されている。
【０１９０】
導電部材装着部６５に装着される導電部材１０７は、導電部材１００と同様に構成される。しかし、導電部材１０７は、その端部１０７ａが、挿入口６５の形状に対応した形状に形成されている点において、導電部材１００と異なっている。具体的には、導電部材１０７の端部１０７ａは、先端側にかけて、導電部材６５の幅方向の寸法が僅かだけ徐々に狭まるように構成されている。そして、挿入口６５に導電部材１０７の端部１０７ａが挿入されると、導電部材１０７の端部１０７ａは、挿入口６５に対して摺動しながら嵌まり込む。このとき、導電部材１０７の端部１０７ａは、挿入口６５との間で生じる摩擦力に抗しながら、挿入口６５に対して摺動しながら嵌め込まれる。
【０１９１】
上記のように、挿入口６５に挿入されて導電部材装着部６４に装着された導電部材１０７の端部１０７ａは、摩擦によって、導電部材装着部６４に保持される。このように、導電部材装着部６４においては、導電部材装着部６４に装着された導電部材１０７の端部１０７ａを保持する保持機構が、挿入口６５として、設けられている
【０１９２】
第５の変形例の導電部材装着部６４を備えるコネクタによると、導電部材１０７の端部１０７ａが導電部材装着部６４において保持機構によって保持されるため、導電部材１０７が装着された導電部材装着部６４を保持部１４に嵌め込む作業が容易となる。このため、導電部材１０７をコネクタに接続する作業が容易となり、作業性を向上させることができる。
【０１９３】
尚、第５の変形例の導電部材装着部６４及び保持部１４を有するコネクタとして構成される第１コネクタと、前述の実施形態の第２コネクタ１２と、を備えた形態の電気的接続装置が、実施されてもよい。
【０１９４】
（６）図４５は、第６の変形例に係るコネクタの導電部材装着部６６を導電部材１０８の一部とともに示す図であって、図４５（Ａ）は導電部材装着部６６の断面を含む斜視図であり、図４５（Ｂ）は導電部材１０８の一部を示す斜視図である。
【０１９５】
第６の変形例の導電部材装着部６６は、前述の実施形態のコネクタ１１の導電部材装着部１３と同様に構成されているが、導電部材装着部６６に装着された導電部材１０８の端部１０８ａを保持する保持機構が設けられている点において、前述の実施形態の導電部材装着部１３とは異なっている。以下、第６の変形例の導電部材装着部６６について、前述の実施形態の導電部材装着部１３と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０１９６】
図４５（Ａ）に示す導電部材装着部６６は、導電部材１０８の端部１０８ａが挿入される挿入口１９を区画する筒状の部分である筒状部１８の内側において、一対の凸部６７が設けられている点において、前述の実施形態の導電部材装着部１３と異なっている。一対の凸部６７のそれぞれは、筒状部１８の内側において、導電部材装着部６６の幅方向の両側のそれぞれに設けられている。各凸部６７は、筒状部１８の内壁部から挿入口１９の内側に向かって僅かに凸状に突出した形状に形成された部分として設けられている。
【０１９７】
導電部材装着部６６に装着される導電部材１０８は、導電部材１００と同様に構成される。しかし、導電部材１０８は、その端部１０８ａが、挿入口６７の内側に突出する一対の凸部６７の形状に対応した形状に形成されている点において、導電部材１００と異なっている。具体的には、図４５（Ａ）及び図４５（Ｂ）に示すように、導電部材１０８の端部１０８ａには、導電部材１０８の幅方向の両端部において、一対の切欠き部１０８ｂが設けられている。各切欠き部１０８ｂは、導電部材１０８の端部１０８ａにおいて、各凸部６７の外形に対応した形状で凹むように切欠き形成された部分として設けられている。また、一対の切欠き部１０８ｂは、導電部材１０８の長手方向において、一対の係合部１０６よりも、導電部材１０８の端部１０８ａの先端側に設けられている。
【０１９８】
導電部材装着部６６の挿入口１９に導電部材１０８の端部１０８ａが挿入されると、導電部材１０８の端部１０８ａは、一対の凸部６７と当接し、導電部材１０８の幅方向に僅かに一旦撓む。そして、導電部材１０８の端部１０８ａが挿入口１９に対して更に挿入されると、補強板１０４が弾性回復し、一旦撓んだ導電部材１０８の端部１０８ａの形状が撓んでいない元の状態に戻り、一対の切欠き部１０８ｂに一対の凸部６７が嵌まり込んで係合した状態となる。これにより、図４５（Ａ）に示すように、導電部材装着部６６に装着された導電部材１０８の端部１０８ａが導電部材装着部６６に保持された状態となる。
【０１９９】
上記のように、挿入口１９に挿入されて導電部材装着部６６に装着された導電部材１０８の端部１０８ａは、凸部６７と切り欠き部１０８ｂとの係合によって、導電部材装着部６６に保持される。このように、導電部材装着部６６においては、導電部材装着部６６に装着された導電部材１０８の端部１０８ａを保持する保持機構が、一対の凸部６７として、設けられている
【０２００】
第６の変形例の導電部材装着部６６を備えるコネクタによると、導電部材１０８の端部１０８ａが導電部材装着部６６において保持機構によって保持されるため、導電部材１０８が装着された導電部材装着部６６を保持部１４に嵌め込む作業が容易となる。このため、導電部材１０８をコネクタに接続する作業が容易となり、作業性を向上させることができる。
【０２０１】
尚、第６の変形例の導電部材装着部６６及び保持部１４を有するコネクタとして構成される第１コネクタと、前述の実施形態の第２コネクタ１２と、を備えた形態の電気的接続装置が、実施されてもよい。
【０２０２】
（７）図４６は、第７の変形例に係るコネクタの導電部材装着部６８を導電部材１０９の一部とともに示す斜視図である。図４６は、導電部材１０９が導電部材装着部６８に装着された状態を示す図である。図４７は、第７の変形例に係るコネクタの導電部材装着部６８を導電部材１０９の一部とともに示す斜視図であって、導電部材１０９が導電部材装着部６８に装着される前の状態を示す図である。
【０２０３】
第７の変形例の導電部材装着部６８は、前述の実施形態のコネクタ１１の導電部材装着部１３と同様に構成されているが、導電部材装着部６８に装着された導電部材１０９の端部１０９ａを保持する保持機構が設けられている点において、前述の実施形態の導電部材装着部１３とは異なっている。以下、第７の変形例の導電部材装着部６８について、前述の実施形態の導電部材装着部１３と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０２０４】
図４６及び図４７に示す導電部材装着部６８は、導電部材装着部６８の接続方向における導電部材１０９が挿入される側の端部において、保持突起部６９が設けられている点において、前述の実施形態の導電部材装着部１３と異なっている。保持突起部６９は、導電部材装着部６８の接続方向における導電部材１０９が挿入される側の端部、即ち、閉塞部２０が設けられるともに挿入口１９が開口する側の端部に設けられている。更に、保持突起部６９は、導電部材装着部６８の幅方向における中央部分に設けられている。また、保持突起部６９は、下面部１６から導電部材装着部６８の接続方向と平行な方向に沿って片持ち状に突出する部分として設けられている。そして、片持ち状に突出する保持突起部６９の端部には、上面部１５側に向かって凸状に設けられた突起６９ａが設けられている。
【０２０５】
導電部材装着部６８に装着される導電部材１０９は、導電部材１００と同様に構成される。しかし、導電部材１０９は、その端部１０９ａにおいて、保持突起部６９の突起６９ａの位置に対応した貫通孔１０９ｂが設けられている点において、導電部材１００と異なっている。具体的には、導電部材１０９の端部１０９ａには、導電部材１０９の幅方向の中央部分において、導電部材１０９の厚み方向に導電部材１０９を貫通する貫通孔１０９ｂが設けられている。貫通孔１０９ｂの縁部分は、保持突起部６９の突起６９ａが係合する部分として設けられている。
【０２０６】
導電部材装着部６８の挿入口１９に導電部材１０９の端部１０９ａが挿入されると、導電部材１０９の端部１０９ａが保持突起部６９の突起６９ａに当接し、保持突起部６９が一旦撓む。そして、導電部材１０９の端部１０９ａが挿入口１９に対して更に挿入されると、保持突起部６９が弾性回復し、貫通孔１０９ｂに保持突起部６９の突起６９ａが係合した状態となる。これにより、図４６に示すように、導電部材装着部６８に装着された導電部材１０９の端部１０９ａが導電部材装着部６８に保持された状態となる。
【０２０７】
上記のように、挿入口１９に挿入されて導電部材装着部６８に装着された導電部材１０９の端部１０９ａは、保持突起部６９の突起６９ａと貫通孔１０９ｂとの係合によって、導電部材装着部６８に保持される。このように、導電部材装着部６８においては、導電部材装着部６８に装着された導電部材１０９の端部１０９ａを保持する保持機構が、保持突起部６９として、設けられている
【０２０８】
第７の変形例の導電部材装着部６８を備えるコネクタによると、導電部材１０９の端部１０９ａが導電部材装着部６８において保持機構によって保持されるため、導電部材１０９が装着された導電部材装着部６８を保持部１４に嵌め込む作業が容易となる。このため、導電部材１０９をコネクタに接続する作業が容易となり、作業性を向上させることができる。
【０２０９】
尚、第７の変形例の導電部材装着部６８及び保持部１４を有するコネクタとして構成される第１コネクタと、前述の実施形態の第２コネクタ１２と、を備えた形態の電気的接続装置が、実施されてもよい。
【０２１０】
（８）図４８は、変形例に係る導電部材１１０の一部を示す図であって、図４８（Ａ）はコネクタ１１に接続された状態をコネクタ１１とともにコネクタ１１の断面を含む状態で示す図であり、図４８（Ｂ）は平面図である。
【０２１１】
変形例に係る導電部材１１０は、前述の実施形態で説明した導電部材１００と同様に構成されているが、保持部１４の被係合部３０に係合する係合部１１０ｂの形状において、前述の導電部材１００とは異なっている。以下、変形例の導電部材１１０について、前述の導電部材１００と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０２１２】
導電部材１１０には、幅方向両端部のそれぞれの一部において、係合部１１０ｂが設けられている。係合部１１０ｂは、導電部材１１０の端部１１０ａにおいて、一対で設けられている。そして、各係合部１１０ｂは、導電部材１１０の端部１１０ａにおいて、幅方向の両端部のそれぞれにて、幅方向の外側に向かって段状に広がった部分として設けられている。導電部材１１０は、幅方向の外側に向かって段状に広がる一対の係合部１１０ｂが設けられていることで、導電部材１１０における端部１１０ａ以外の部分よりも端部１１０ａの部分が、幅方向の寸法が大きくなるように設定されている。各係合部１１０ｂは、導電部材１１０がコネクタ１１に接続された際に、コネクタ１１における被係合部３０に対して係合する部分として設けられている（図４８（Ｂ）を参照）。
【０２１３】
上述した変形例のように、導電部材１１０の端部１１０ａにおいて幅方向の外側に向かって段状に広がる一対の係合部１１０ｂが設けられた導電部材１１０がコネクタ１１に接続される形態が実施されてもよい。
【０２１４】
（９）図４９は、他の変形例に係る導電部材１１１の一部を示す図であって、図４９（Ａ）はコネクタ１１に接続された状態をコネクタ１１とともにコネクタ１１の断面を含む状態で示す図であり、図４９（Ｂ）は平面図である。
【０２１５】
他の変形例に係る導電部材１１１は、前述の実施形態で説明した導電部材１００と同様に構成されているが、保持部１４の被係合部３０に係合する係合部１１１ｂの形状において、前述の導電部材１００とは異なっている。以下、他の変形例の導電部材１１１について、前述の導電部材１００と異なる構成についてのみ説明する。そして、前述の実施形態と同様に構成される要素については、図面において同一の符号を付すことで、又は、前述の実施形態で説明した要素の符号を引用して説明することで、重複する説明を適宜省略する。
【０２１６】
導電部材１１１には、幅方向両端部のそれぞれの一部において、係合部１１１ｂが設けられている。係合部１１１ｂは、導電部材１１１の端部１１１ａにおいて、一対で設けられている。そして、各係合部１１１ｂは、導電部材１１１の端部１１１ａにおいて、幅方向の両端部のそれぞれにて、幅方向の内側に向かって切欠き状に切り欠かれて凹み形成された部分として設けられている。各係合部１１１ｂは、導電部材１１１がコネクタ１１に接続された際に、コネクタ１１における被係合部３０に対して係合する部分として設けられている（図４９（Ｂ）を参照）。
【０２１７】
上述した他の変形例のように、導電部材１１１の端部１１１ａにおいて幅方向の内側に向かって切欠き状に切り欠かれて凹み形成された一対の係合部１１１ｂが設けられた導電部材１１１がコネクタ１１に接続される形態が実施されてもよい。
【０２１８】
（１０）前述したような変形例に限らず、更に種々の変形例が実施されてもよい。例えば、前述の実施形態では、導電部材装着部の閉塞部が保持部の挿通孔に嵌り込んだ状態で挿通孔の一部を塞ぐ形態を例にとって説明したが、この通りでなくてもよい。導電部材装着部の閉塞部が、保持部の内部にて、挿通孔が嵌合孔に連通する領域であって嵌合孔から挿通孔へと至る経路における挿通孔への入口の領域において、挿通孔の一部に蓋をするような状態で挿通孔の一部を塞ぐように構成されてもよい。
【０２１９】
また、前述の実施形態では、先端露出部の形態として、ハウジングに設けられた切欠き状の部分として構成された形態を例にとって説明したが、この通りでなくてもよい。導電部材装着部が嵌合して導電部材における複数の導体に複数の端子が電気的に接続された状態で、導電部材装着部の先端部分の一部を外部に露出させるように窓状の部分として構成された形態の先端露出部が、ハウジングに設けられてもよい。
【産業上の利用可能性】
【０２２０】
本発明は、複数の導体を有するフレキシブルケーブル又はフレキシブル基板として構成される導電部材が接続されるコネクタ、及びそのコネクタを備える電気的接続装置に関して、広く適用することができるものである。
【符号の説明】
【０２２１】
１１                第１コネクタ（コネクタ）
１３                導電部材装着部
１４                保持部
２０                閉塞部
２６                挿通孔
２７                嵌合孔
３０                被係合部
１００              導電部材
１００ａ            端部
１０２              導体
１０６              係合部
【要約】
【課題】複数の導体を有するフレキシブルケーブル又はフレキシブル基板として構成される導電部材が外れることを防止し、導電部材を強固に保持できるコネクタを提供する。
【解決手段】保持部１４には、連通する挿通孔２６と嵌合孔２７とが設けられる。挿通孔２６に挿通された導電部材１００の端部１００ａが装着された状態の導電部材装着部１３が嵌合孔２７に嵌合して嵌め込まれ、導電部材装着部１３が保持部１４に保持される。保持部１４には、導電部材１００の幅方向両端部のそれぞれの一部に設けられた係合部１０６が係合する被係合部３０が設けられる。導電部材装着部１３には、挿通孔２６の一部を塞ぐ閉塞部２０が設けられる。閉塞部２０は、挿通孔２６に挿通された導電部材１００の端部１００ａが装着された状態の導電部材装着部１３が保持部１４に嵌め込まれた際に、係合部１０６が被係合部３０に係合した状態で、挿通孔２６の一部を塞ぐ。
【選択図】        図１６【図１】
0006040333.tif 000002
【図２】
0006040333.tif 000003
【図３】
0006040333.tif 000004
【図４】
0006040333.tif 000005
【図５】
0006040333.tif 000006
【図６】
0006040333.tif 000007
【図７】
0006040333.tif 000008
【図８】
0006040333.tif 000009
【図９】
0006040333.tif 000010
【図１０】
0006040333.tif 000011
【図１１】
0006040333.tif 000012
【図１２】
0006040333.tif 000013
【図１３】
0006040333.tif 000014
【図１４】
0006040333.tif 000015
【図１５】
0006040333.tif 000016
【図１６】
0006040333.tif 000017
【図１７】
0006040333.tif 000018
【図１８】
0006040333.tif 000019
【図１９】
0006040333.tif 000020
【図２０】
0006040333.tif 000021
【図２１】
0006040333.tif 000022
【図２２】
0006040333.tif 000023
【図２３】
0006040333.tif 000024
【図２４】
0006040333.tif 000025
【図２５】
0006040333.tif 000026
【図２６】
0006040333.tif 000027
【図２７】
0006040333.tif 000028
【図２８】
0006040333.tif 000029
【図２９】
0006040333.tif 000030
【図３０】
0006040333.tif 000031
【図３１】
0006040333.tif 000032
【図３２】
0006040333.tif 000033
【図３３】
0006040333.tif 000034
【図３４】
0006040333.tif 000035
【図３５】
0006040333.tif 000036
【図３６】
0006040333.tif 000037
【図３７】
0006040333.tif 000038
【図３８】
0006040333.tif 000039
【図３９】
0006040333.tif 000040
【図４０】
0006040333.tif 000041
【図４１】
0006040333.tif 000042
【図４２】
0006040333.tif 000043
【図４３】
0006040333.tif 000044
【図４４】
0006040333.tif 000045
【図４５】
0006040333.tif 000046
【図４６】
0006040333.tif 000047
【図４７】
0006040333.tif 000048
【図４８】
0006040333.tif 000049
【図４９】
0006040333.tif 000050